(57)【要約】      （修正有）【課題】犯罪を減らし、公共の安全をより高めるジャンクションボックス内への埋め込み用の音声／ビデオ（Ａ／Ｖ）記録通信装置を提供する。【解決手段】Ａ／Ｖ記録通信装置は、前方に開口部を有する密閉箱を画定し、シングルギャングジャンクションボックスに嵌合する後方部分を有する筐体と、密閉箱の中に少なくとも一部が配置され、密閉箱の前方開口部の外側に延びる視野を有し、レンズカバー３６６の後ろに配置されたカメラと、前方開口部に隣接して密閉箱の中に少なくとも一部が配置されたスピーカーと、マイクロフォンと、密閉箱の中に少なくとも一部が配置され、前方開口部から外向きに突出するフロントボタン１３２と、を備える。【選択図】図３
0003225988.tif 000002
【実用新案登録請求の範囲】
【請求項１】
音声／ビデオ（Ａ／Ｖ）記録通信装置であって、
前方開口部を有する密閉箱を画定し、およそ９４．３７ｍｍの高さ、およそ４７．５９ｍｍの幅及びおよそ４０．２０ｍｍの深さを有する三次元空間に嵌合するように構成された後方部分を有する筐体と、
前記密閉箱の中に少なくとも一部が配置され、前記密閉箱の前記前方開口部の外側に延びる視野を有するカメラと、
前記前方開口部に隣接して前記密閉箱の中に少なくとも一部が配置されたスピーカーと、
前記前方開口部に隣接して前記密閉箱の中に少なくとも一部が配置されたマイクロフォンと、
前記密閉箱の中に少なくとも一部が配置され、前記前方開口部から外向きに突出するフロントボタンと、を備える、前記音声／ビデオ（Ａ／Ｖ）記録通信装置。
【請求項２】
前記筐体は、前記前方開口部の周りに延在する前方リップ部分をさらに備える、請求項１に記載のＡ／Ｖ記録通信装置。
【請求項３】
前記前方リップ部分は、シングルギャングジャンクションボックスとの締り嵌めを形成する周辺寸法を有する、請求項２に記載のＡ／Ｖ記録通信装置。
【請求項４】
前記前方リップ部分は、およそ９６．６２ｍｍの高さと、およそ５０．６２ｍｍの幅とを有する、請求項２に記載のＡ／Ｖ記録通信装置。
【請求項５】
前記Ａ／Ｖ記録通信装置は、ドアベルを備える、請求項１に記載の方法。
【請求項６】
前記密閉箱の前記前方開口部の前方に位置決めされた遮蔽材をさらに備える、請求項１に記載のＡ／Ｖ記録通信装置。
【請求項７】
前記遮蔽材は、前記カメラに隣接して上方開口部を含む、請求項６に記載のＡ／Ｖ記録通信装置。
【請求項８】
前記遮蔽材は、前記フロントボタンを取り囲む下方開口部を含んでおり、前記下方開口部は、前記上方開口部の下に位置している、請求項７に記載のＡ／Ｖ記録通信装置。
【請求項９】
前記遮蔽材は、前記上方開口部と前記下方開口部との間に位置する中央開口部を含む、請求項８に記載のＡ／Ｖ記録通信装置。
【請求項１０】
前記密閉箱の前記前方開口部の上に少なくとも一部が重なる前面プレートをさらに備える、請求項６に記載のＡ／Ｖ記録通信装置。
【請求項１１】
前記前面プレートは、前記筐体の前記高さより高い高さと、前記筐体の前記幅より大きな幅とを有する、請求項９に記載のＡ／Ｖ記録通信装置。
【請求項１２】
前記前面プレートの上に重なる薄板をさらに備える、請求項９に記載のＡ／Ｖ記録通信装置。
【請求項１３】
前記薄板は中央開口部を含む、請求項１２に記載のＡ／Ｖ記録通信装置。
【請求項１４】
前記薄板内の前記中央開口部は、前記遮蔽材を収容するようにサイズが決められ、成形されている、請求項１３に記載のＡ／Ｖ記録通信装置。
【請求項１５】
前記遮蔽材の前面が前記薄板の前面とほぼ同一平面になり、かつ前記遮蔽材の外側縁部と前記薄板内の前記中央開口部の内側縁部との間にほとんど隙間がない、またはまったく隙間がないように、前記遮蔽材は、前記薄板内の前記中央開口部の中にある、請求項１４に記載のＡ／Ｖ記録通信装置。
【請求項１６】
前記前方開口部に隣接して前記密閉箱の中に少なくとも一部が配置された赤外線（ＩＲ）光源をさらに備える、請求項１に記載のＡ／Ｖ記録通信装置。
【請求項１７】
前記ＩＲ光源は、少なくとも１つのＩＲ  ＬＥＤ（発光ダイオード）を備える、請求項１６に記載のＡ／Ｖ記録通信装置。
【請求項１８】
前記ＩＲ光源は、前記フロントボタンの両側に配置された第１のＩＲ  ＬＥＤと、第２のＩＲ  ＬＥＤとを備える、請求項１７に記載のＡ／Ｖ記録通信装置。
【請求項１９】
モーションセンサをさらに備える、請求項１に記載のＡ／Ｖ記録通信装置。
【請求項２０】
前記モーションセンサは、前記フロントボタンの後ろに配置される、請求項１９に記載のＡ／Ｖ記録通信装置。
【請求項２１】
前記フロントボタンは、入射する光を、前記フロントボタンの後ろに配置された前記モーションセンサ内に誘導するようにパターン形成されたフレネルレンズを備える、請求項１９に記載のＡ／Ｖ記録通信装置。
【請求項２２】
通信モジュールをさらに備える、請求項１に記載のＡ／Ｖ記録通信装置。
【請求項２３】
前記カメラは、前記フロントボタンより上に配置される、請求項１に記載のＡ／Ｖ記録通信装置。
【請求項２４】
前記スピーカーは、前記フロントボタンより下に配置される、請求項２３に記載のＡ／Ｖ記録通信装置。
【請求項２５】
前記筐体は、ジャンクションボックスの前方開口部を介して前記Ａ／Ｖ記録通信装置を前記ジャンクションボックスに挿入し易くするために、前記ジャンクションボックス上のタブを収容するように構成された上方チャネルと下方チャネルとをさらに備える、請求項１に記載のＡ／Ｖ記録通信装置。
【請求項２６】
音声／ビデオ（Ａ／Ｖ）記録通信装置であって、
前方開口部を有する密閉箱を画定し、およそ７６ｍｍの高さ、およそ４９ｍｍの幅及びおよそ４０ｍｍの深さを有する三次元空間に嵌合するように構成された後方部分を有する筐体と、
前記密閉箱の中に少なくとも一部が配置され、前記密閉箱の前記前方開口部の外側に延びる視野を有するカメラと、
前記前方開口部に隣接して前記密閉箱の中に少なくとも一部が配置されたスピーカーと、
前記前方開口部に隣接して前記密閉箱の中に少なくとも一部が配置されたマイクロフォンと、
前記密閉箱の中に少なくとも一部が配置され、前記前方開口部から外向きに突出するフロントボタンと、を備える、前記音声／ビデオ（Ａ／Ｖ）記録通信装置。
【請求項２７】
前記筐体は、前記前方開口部の周りに延在する前方リップ部分をさらに備える、請求項２６に記載のＡ／Ｖ記録通信装置。
【請求項２８】
前記Ａ／Ｖ記録通信装置は、ドアベルを備える、請求項２６に記載のＡ／Ｖ記録通信装置。
【請求項２９】
前記密閉箱の前記前方開口部の前方に位置決めされた遮蔽材をさらに備える、請求項２６に記載のＡ／Ｖ記録通信装置。
【請求項３０】
前記遮蔽材は、前記カメラに隣接して上方開口部を含む、請求項２９に記載のＡ／Ｖ記録通信装置。
【請求項３１】
前記遮蔽材は、前記フロントボタンを取り囲む下方開口部を含んでおり、前記下方開口部は、前記上方開口部の下に位置している、請求項３０に記載のＡ／Ｖ記録通信装置。
【請求項３２】
前記遮蔽材は、前記上方開口部と前記下方開口部との間に位置する中央開口部を含む、請求項３１に記載のＡ／Ｖ記録通信装置。
【請求項３３】
前記密閉箱の前記前方開口部の上に少なくとも一部が重なる前面プレートをさらに備える、請求項２６に記載のＡ／Ｖ記録通信装置。
【請求項３４】
前記前面プレートは、前記筐体の前記高さより高い高さと、前記筐体の前記幅より大きな幅とを有する、請求項３３に記載のＡ／Ｖ記録通信装置。
【請求項３５】
前記前面プレートの上に重なる薄板をさらに備える、請求項３３に記載のＡ／Ｖ記録通信装置。
【請求項３６】
前記薄板は中央開口部を含む、請求項３５に記載のＡ／Ｖ記録通信装置。
【請求項３７】
前記薄板内の前記中央開口部は、前記遮蔽材を収容するようにサイズが決められ、成形されている、請求項３６に記載のＡ／Ｖ記録通信装置。
【請求項３８】
前記遮蔽材の前面が前記薄板の前面とほぼ同一平面になり、かつ前記遮蔽材の外側縁部と、前記薄板内の前記中央開口部の内側縁部との間にほとんど隙間がない、またはまったく隙間がないように、前記遮蔽材は、前記薄板内の前記中央開口部の中にある、請求項３７に記載のＡ／Ｖ記録通信装置。
【請求項３９】
前記前方開口部に隣接して前記密閉箱の中に少なくとも一部が配置された赤外線（ＩＲ）光源をさらに備える、請求項２６に記載のＡ／Ｖ記録通信装置。
【請求項４０】
前記ＩＲ光源は、少なくとも１つのＩＲ  ＬＥＤ（発光ダイオード）を備える、請求項３９に記載のＡ／Ｖ記録通信装置。
【請求項４１】
前記ＩＲ光源は、前記フロントボタンの両側に配置された第１のＩＲ  ＬＥＤと第２のＩＲ  ＬＥＤとを備える、請求項４０に記載のＡ／Ｖ記録通信装置。
【請求項４２】
モーションセンサをさらに備える、請求項２６に記載のＡ／Ｖ記録通信装置。
【請求項４３】
前記モーションセンサは、前記フロントボタンの後ろに配置される、請求項４２に記載のＡ／Ｖ記録通信装置。
【請求項４４】
前記フロントボタンは、入射する光を、前記フロントボタンの後ろに配置された前記モーションセンサ内に誘導するようにパターン形成されたフレネルレンズを備える、請求項４３に記載のＡ／Ｖ記録通信装置。
【請求項４５】
通信モジュールをさらに備える、請求項２６に記載のＡ／Ｖ記録通信装置。
【請求項４６】
前記カメラは、前記フロントボタンより上に配置される、請求項２６に記載のＡ／Ｖ記録通信装置。
【請求項４７】
前記スピーカーは、前記フロントボタンより下に配置される、請求項４６に記載のＡ／Ｖ記録通信装置。
【請求項４８】
前記筐体は、ジャンクションボックスの前方開口部を介して前記Ａ／Ｖ記録通信装置を前記ジャンクションボックスに挿入し易くするために、前記ジャンクションボックス上のタブを収容するように構成された上方チャネルと下方チャネルとをさらに備える、請求項２６に記載のＡ／Ｖ記録通信装置。
【請求項４９】
音声／ビデオ（Ａ／Ｖ）記録通信装置であって、
前方開口部を有する密閉箱を画定し、およそ９３．４９ｍｍの高さ、およそ４７．４９ｍｍの幅及びおよそ３６．２０ｍｍの深さを有する後方部分を有する筐体と、
前記密閉箱の中に少なくとも一部が配置され、前記密閉箱の前記前方開口部の外側に延びる視野を有するカメラと、
前記前方開口部に隣接して前記密閉箱の中に少なくとも一部が配置されたスピーカーと、
前記前方開口部に隣接して前記密閉箱の中に少なくとも一部が配置されたマイクロフォンと、
前記密閉箱の中に少なくとも一部が配置され、前記前方開口部から外向きに突出するフロントボタンと、を備える、前記音声／ビデオ（Ａ／Ｖ）記録通信装置。
【請求項５０】
前記筐体は、前記前方開口部の周りに延在する前方リップ部分をさらに備える、請求項４９に記載のＡ／Ｖ記録通信装置。
【請求項５１】
前記前方リップ部分は、シングルギャングジャンクションボックスとの締り嵌めを形成する周辺寸法を有する、請求項５０に記載のＡ／Ｖ記録通信装置。
【請求項５２】
前記前方リップ部分は、およそ９６．６２ｍｍの高さと、およそ５０．６２ｍｍの幅とを有する、請求項５０に記載のＡ／Ｖ記録通信装置。
【請求項５３】
前記Ａ／Ｖ記録通信装置は、ドアベルを備える、請求項４９に記載のＡ／Ｖ記録通信装置。
【請求項５４】
前記密閉箱の前記前方開口部の前方に位置決めされた遮蔽材をさらに備える、請求項４９に記載のＡ／Ｖ記録通信装置。
【請求項５５】
前記遮蔽材は、前記カメラに隣接した上方開口部を含む、請求項５４に記載のＡ／Ｖ記録通信装置。
【請求項５６】
前記遮蔽材は、前記フロントボタンを取り囲む下方開口部を含んでおり、前記下方開口部は、前記上方開口部の下に位置している、請求項５５に記載のＡ／Ｖ記録通信装置。
【請求項５７】
前記遮蔽材は、前記上方開口部と前記下方開口部との間に位置する中央開口部を含む、請求項５６に記載のＡ／Ｖ記録通信装置。
【請求項５８】
前記密閉箱の前記前方開口部の上に少なくとも一部が重なる前面プレートをさらに備える、請求項４９に記載のＡ／Ｖ記録通信装置。
【請求項５９】
前記前面プレートは、前記筐体の前記高さより高い高さと、前記筐体の前記幅より大きな幅とを有する、請求項５８に記載のＡ／Ｖ記録通信装置。
【請求項６０】
前記前面プレートの上に重なる薄板をさらに備える、請求項５８に記載のＡ／Ｖ記録通信装置。
【請求項６１】
前記薄板は中央開口部を含む、請求項６０に記載のＡ／Ｖ記録通信装置。
【請求項６２】
前記薄板内の前記中央開口部は、前記遮蔽材を収容するようにサイズが決められ、成形されている、請求項６１に記載のＡ／Ｖ記録通信装置。
【請求項６３】
前記遮蔽材の前面が前記薄板の前面とほぼ同一平面になり、かつ前記遮蔽材の外側縁部と前記薄板内の前記中央開口部の内側縁部との間にほとんど隙間がない、またはまったく隙間がないように、前記遮蔽材は、前記薄板内の前記中央開口部の中にある、請求項６２に記載のＡ／Ｖ記録通信装置。
【請求項６４】
前記前方開口部に隣接して前記密閉箱の中に少なくとも一部が配置された赤外線（ＩＲ）光源をさらに備える、請求項４９に記載のＡ／Ｖ記録通信装置。
【請求項６５】
前記ＩＲ光源は、少なくとも１つのＩＲ  ＬＥＤ（発光ダイオード）を備える、請求項６４に記載のＡ／Ｖ記録通信装置。
【請求項６６】
前記ＩＲ光源は、前記フロントボタンの両側に配置された第１のＩＲ  ＬＥＤと第２のＩＲ  ＬＥＤとを備える、請求項６５に記載のＡ／Ｖ記録通信装置。
【請求項６７】
モーションセンサをさらに備える、請求項４９に記載のＡ／Ｖ記録通信装置。
【請求項６８】
前記モーションセンサは、前記フロントボタンの後ろに配置される、請求項６７に記載のＡ／Ｖ記録通信装置。
【請求項６９】
前記フロントボタンは、入射する光を、前記フロントボタンの後ろに配置された前記モーションセンサ内に誘導するようにパターン形成されたフレネルレンズを備える、請求項６８に記載のＡ／Ｖ記録通信装置。
【請求項７０】
通信モジュールをさらに備える、請求項４９に記載のＡ／Ｖ記録通信装置。
【請求項７１】
前記カメラは、前記フロントボタンより上に配置される、請求項４９に記載のＡ／Ｖ記録通信装置。
【請求項７２】
前記スピーカーは、前記フロントボタンより下に配置される、請求項７１に記載のＡ／Ｖ記録通信装置。
【請求項７３】
前記筐体は、ジャンクションボックスの前方開口部を介して前記Ａ／Ｖ記録通信装置を前記ジャンクションボックスに挿入し易くするために、前記ジャンクションボックス上のタブを収容するように構成された上方チャネルと下方チャネルとをさらに備える、請求項４９に記載のＡ／Ｖ記録通信装置。
【請求項７４】
音声／ビデオ（Ａ／Ｖ）記録通信装置であって、
前方開口部を有する密閉箱を画定し、シングルギャングジャンクションボックスに嵌合するように構成された後方部分を有する筐体と、
前記密閉箱の中に少なくとも一部が配置され、前記密閉箱の前記前方開口部の外側に延びる視野を有するカメラと、
前記前方開口部に隣接して前記密閉箱の中に少なくとも一部が配置されたスピーカーと、
前記前方開口部に隣接して前記密閉箱の中に少なくとも一部が配置されたマイクロフォンと、
前記密閉箱の中に少なくとも一部が配置され、前記前方開口部から外向きに突出するフロントボタンと、を備える、前記音声／ビデオ（Ａ／Ｖ）記録通信装置。
【請求項７５】
前記筐体は、前記前方開口部の周りに延在する前方リップ部分をさらに備える、請求項７４に記載のＡ／Ｖ記録通信装置。
【請求項７６】
前記前方リップ部分は、前記ジャンクションボックスとの締り嵌めを形成する周辺寸法を有する、請求項７５に記載のＡ／Ｖ記録通信装置。
【請求項７７】
前記前方リップ部分は、およそ９６．６２ｍｍの高さと、およそ５０．６２ｍｍの幅とを有する、請求項７５に記載のＡ／Ｖ記録通信装置。
【請求項７８】
前記Ａ／Ｖ記録通信装置は、ドアベルを備える、請求項７４に記載のＡ／Ｖ記録通信装置。
【請求項７９】
前記密閉箱の前記前方開口部の前方に位置決めされた遮蔽材をさらに備える、請求項７４に記載のＡ／Ｖ記録通信装置。
【請求項８０】
前記遮蔽材は、前記カメラに隣接して上方開口部を含む、請求項７９に記載のＡ／Ｖ記録通信装置。
【請求項８１】
前記遮蔽材は、前記フロントボタンを取り囲む下方開口部を含んでおり、前記下方開口部は、前記上方開口部の下に位置している、請求項８０に記載のＡ／Ｖ記録通信装置。
【請求項８２】
前記遮蔽材は、前記上方開口部と前記下方開口部との間に位置する中央開口部を含む、請求項８１に記載のＡ／Ｖ記録通信装置。
【請求項８３】
前記密閉箱の前記前方開口部の上に少なくとも一部が重なる前面プレートをさらに備える、請求項７４に記載のＡ／Ｖ記録通信装置。
【請求項８４】
前記前面プレートは、前記筐体の前記高さより高い高さと、前記筐体の前記幅より大きな幅とを有する、請求項８３に記載のＡ／Ｖ記録通信装置。
【請求項８５】
前記前面プレートの上に重なる薄板をさらに備える、請求項８３に記載のＡ／Ｖ記録通信装置。
【請求項８６】
前記薄板は中央開口部を含む、請求項８５に記載のＡ／Ｖ記録通信装置。
【請求項８７】
前記薄板内の前記中央開口部は、前記遮蔽材を収容するようにサイズが決められ、成形されている、請求項８６に記載のＡ／Ｖ記録通信装置。
【請求項８８】
前記遮蔽材の前面が前記薄板の前面とほぼ同一平面になり、かつ前記遮蔽材の外側縁部と前記薄板内の前記中央開口部の内側縁部との間にほとんど隙間がない、またはまったく隙間がないように、前記遮蔽材は、前記薄板内の前記中央開口部の中にある、請求項８７に記載のＡ／Ｖ記録通信装置。
【請求項８９】
前記前方開口部に隣接して前記密閉箱の中に少なくとも一部が配置された赤外線（ＩＲ）光源をさらに備える、請求項７４に記載のＡ／Ｖ記録通信装置。
【請求項９０】
前記ＩＲ光源は、少なくとも１つのＩＲ  ＬＥＤ（発光ダイオード）を備える、請求項８９に記載のＡ／Ｖ記録通信装置。
【請求項９１】
前記ＩＲ光源は、前記フロントボタンの両側に配置された第１のＩＲ  ＬＥＤと第２のＩＲ  ＬＥＤとを備える、請求項９０に記載のＡ／Ｖ記録通信装置。
【請求項９２】
モーションセンサをさらに備える、請求項７４に記載のＡ／Ｖ記録通信装置。
【請求項９３】
前記モーションセンサは、前記フロントボタンの後ろに配置される、請求項９２に記載のＡ／Ｖ記録通信装置。
【請求項９４】
前記フロントボタンは、入射する光を、前記フロントボタンの後ろに配置された前記モーションセンサ内に誘導するようにパターン形成されたフレネルレンズを備える、請求項９３に記載のＡ／Ｖ記録通信装置。
【請求項９５】
通信モジュールをさらに備える、請求項７４に記載のＡ／Ｖ記録通信装置。
【請求項９６】
前記カメラは、前記フロントボタンより上に配置される、請求項７４に記載のＡ／Ｖ記録通信装置。
【請求項９７】
前記スピーカーは、前記フロントボタンより下に配置される、請求項９６に記載のＡ／Ｖ記録通信装置。
【請求項９８】
前記筐体は、ジャンクションボックスの前方開口部を介して前記Ａ／Ｖ記録通信装置を前記ジャンクションボックスに挿入し易くするために、前記ジャンクションボックス上のタブを収容するように構成された上方チャネルと下方チャネルとをさらに備える、請求項７４に記載のＡ／Ｖ記録通信装置。
【請求項９９】
前記ジャンクションボックスは、およそ９４．３７ｍｍの高さ、およそ４７．５９ｍｍの幅及びおよそ４０．２０ｍｍの深さを有する三次元の内部空間を有する、請求項７４に記載のＡ／Ｖ記録通信装置。
【請求項１００】
前記ジャンクションボックスは、およそ７６ｍｍの高さ、およそ４９ｍｍの幅及びおよそ４０ｍｍの深さを有する三次元の内部空間を有する、請求項７４に記載のＡ／Ｖ記録通信装置。
【請求項１０１】
前記筐体の前記後方部分は、およそ９３．４９ｍｍの高さ、およそ４７．４９ｍｍの幅及びおよそ３６．２０ｍｍの深さを有する、請求項７４に記載のＡ／Ｖ記録通信装置。
【考案の詳細な説明】
【技術分野】
【０００１】
関連出願の相互参照
本出願は、２０１６年９月１４日に出願された仮出願シリアル番号第６２／３９４，６１２号の優先権を主張し、その全内容は参照によりここに組み込まれている。
【０００２】
本実施形態は、Ａ／Ｖ記録通信ドアベルシステムを含めた音声／ビデオ（Ａ／Ｖ）記録通信装置に関する。詳細には、本実施形態は、犯罪を減らし、公共の安全を高めるための斯かる装置の能力を増強するＡ／Ｖ記録通信装置の機能性の改良に関する。
【背景技術】
【０００３】
住居の安全は、多くの住居の所有者及び賃借人にとっての関心事である。自分の住居を保護する、または監視することを求める人は、訪問者、例えば外部ドアまたは通用門を訪ねる人とビデオ及び音声通信することを望む場合が多い。ドアベル等の音声／ビデオ（Ａ／Ｖ）記録通信装置は、このような機能性を提供し、また犯罪の検出及び防止を補助することもできる。例えば、Ａ／Ｖ記録通信装置によって取り込まれた音声及び／またはビデオは、クラウドにアップロードされ、リモートサーバ上で記録することができる。Ａ／Ｖ映像のその後の再検討は、法執行機関が住宅侵入窃盗及び他の犯罪の犯人を捕らえるのを支援する場合がある。さらに住居への入口におけるドアベルユニットなど、住居の外側にある１つまたは複数のＡ／Ｖ記録通信装置の存在は、窃盗志望者に対する強力な抑止力としての機能を果たす。
【考案の概要】
【０００４】
ジャンクションボックス内への埋め込み用の現行の音声／ビデオ（Ａ／Ｖ）記録通信装置の種々の実施形態は、いくつかの特徴を有するが、そのうちのただ１つも、その望ましい属性に対して単独で責任を持つものはない。以下に続く実用新案登録請求の範囲によって表されるように本実施形態の範囲を限定することなく、それらのより顕著な特徴をここで簡潔に考察する。本説明を考慮した後、また特に「考案を実施するための形態」と題する項を読んだ後、本実施形態の特徴が本明細書に記載する利点をどのようにして提供するのかが理解されるであろう。
【０００５】
第１の態様において、前方開口部を有する密閉箱を画定し、およそ９４．３７ｍｍの高さ、およそ４７．５９ｍｍの幅及びおよそ４０．２０ｍｍの深さを有する三次元空間に嵌合するように構成された後方部分を有する筐体と、密閉箱の中に少なくとも一部が配置され、密閉箱の前方開口部の外側に延びる視野を有するカメラと、前方開口部に隣接して密閉箱の中に少なくとも一部が配置されたスピーカーと、前方開口部に隣接して密閉箱の中に少なくとも一部が配置されたマイクロフォンと、密閉箱の中に少なくとも一部が配置され、前方開口部から外向きに突出するフロントボタンとを備える音声／ビデオ（Ａ／Ｖ）記録通信装置が提供される。
【０００６】
第１の態様の一実施形態では、筐体は、前方開口部の周りに延在する前方リップ部分をさらに備える。
【０００７】
第１の態様の別の実施形態では、前方リップ部分は、シングルギャングジャンクションボックスとの締り嵌めを形成する周辺寸法を有する。
【０００８】
第１の態様の別の実施形態では、前方リップ部分は、およそ９６．６２ｍｍの高さと、およそ５０．６２ｍｍの幅とを有する。
【０００９】
第１の態様の別の実施形態では、Ａ／Ｖ記録通信装置は、ドアベルを備える。
【００１０】
第１の態様の別の実施形態は、密閉箱の前方開口部の前方に位置決めされた遮蔽材をさらに備える。
【００１１】
第１の態様の別の実施形態では、遮蔽材は、カメラに隣接した上方開口部を含む。
【００１２】
第１の態様の別の実施形態では、遮蔽材は、フロントボタンを取り囲む下方開口部を含んでおり、下方開口部は、上方開口部の下に位置している。
【００１３】
第１の態様の別の実施形態では、遮蔽材は、上方開口部と下方開口部との間に位置する中央開口部を含む。
【００１４】
第１の態様の別の実施形態は、密閉箱の前方開口部の上に少なくとも一部が重なる前面プレートをさらに備える。
【００１５】
第１の態様の別の実施形態では、前面プレートは、筐体の高さより高い高さと、筐体の幅より大きな幅とを有する。
【００１６】
第１の態様の別の実施形態は、前面プレートの上に重なる薄板をさらに備える。
【００１７】
第１の態様の別の実施形態では、薄板は、中央開口部を含む。
【００１８】
第１の態様の別の実施形態では、薄板内の中央開口部は、遮蔽材を収容するようにサイズが決められ、成形されている。
【００１９】
第１の態様の別の実施形態では、遮蔽材の前面が薄板の前面とほぼ同一平面になり、かつ遮蔽材の外側縁部と薄板内の中央開口部の内側縁部との間にほとんど隙間がない、またはまったく隙間がないように、遮蔽材は、薄板内の中央開口部の中にある。
【００２０】
第１の態様の別の実施形態は、前方開口部に隣接して密閉箱の中に少なくとも一部が配置された赤外線（ＩＲ）光源をさらに備える。
【００２１】
第１の態様の別の実施形態では、ＩＲ光源は、少なくとも１つのＩＲ  ＬＥＤ（発光ダイオード）を備える。
【００２２】
第１の態様の別の実施形態では、ＩＲ光源は、フロントボタンの両側に配置された第１のＩＲ  ＬＥＤと、第２のＩＲ  ＬＥＤとを備える。
【００２３】
第１の態様の別の実施形態は、モーションセンサをさらに備える。
【００２４】
第１の態様の別の実施形態では、モーションセンサは、フロントボタンの後ろに配置される。
【００２５】
第１の態様の別の実施形態では、フロントボタンは、入射する光を、フロントボタンの後ろに配置されたモーションセンサ内に誘導するようにパターン形成されたフレネルレンズを備える。
【００２６】
第１の態様の別の実施形態は、通信モジュールをさらに備える。
【００２７】
第１の態様の別の実施形態では、カメラは、フロントボタンより上に配置される。
【００２８】
第１の態様の別の実施形態では、スピーカーは、フロントボタンより下に配置される。
【００２９】
第１の態様の別の実施形態では、筐体は、ジャンクションボックスの前方開口部を介してＡ／Ｖ記録通信装置をジャンクションボックスに挿入し易くするために、ジャンクションボックス上のタブを収容するように構成された上方チャネルと、下方チャネルとをさらに備える。
【００３０】
第２の態様において、前方開口部を有する密閉箱を画定し、およそ７６ｍｍの高さ、およそ４９ｍｍの幅及びおよそ４０ｍｍの深さを有する三次元空間に嵌合するように構成された後方部分を有する筐体と、密閉箱の中に少なくとも一部が配置され、密閉箱の前方開口部の外側に延びる視野を有するカメラと、前方開口部に隣接して密閉箱の中に少なくとも一部が配置されたスピーカーと、前方開口部に隣接して密閉箱の中に少なくとも一部が配置されたマイクロフォンと、密閉箱の中に少なくとも一部が配置され、前方開口部から外向きに突出するフロントボタンとを備える音声／ビデオ（Ａ／Ｖ）記録通信装置が提供される。
【００３１】
第２の態様の一実施形態では、筐体は、前方開口部の周りに延在する前方リップ部分をさらに備える。
【００３２】
第２の態様の別の実施形態では、前方リップ部分は、シングルギャングジャンクションボックスとの締り嵌めを形成する周辺寸法を有する。
【００３３】
第２の態様の別の実施形態では、前方リップ部分は、およそ９６．６２ｍｍの高さと、およそ５０．６２ｍｍの幅とを有する。
【００３４】
第２の態様の別の実施形態では、Ａ／Ｖ記録通信装置は、ドアベルを備える。
【００３５】
第２の態様の別の実施形態は、密閉箱の前方開口部の前方に位置決めされた遮蔽材をさらに備える。
【００３６】
第２の態様の別の実施形態では、遮蔽材は、カメラに隣接した上方開口部を含む。
【００３７】
第２の態様の別の実施形態では、遮蔽材は、フロントボタンを取り囲む下方開口部を含んでおり、下方開口部は、上方開口部の下に位置している。
【００３８】
第２の態様の別の実施形態では、遮蔽材は、上方開口部と下方開口部との間に位置する中央開口部を含む。
【００３９】
第２の態様の別の実施形態は、密閉箱の前方開口部の上に少なくとも一部が重なる前面プレートをさらに備える。
【００４０】
第２の態様の別の実施形態では、前面プレートは、筐体の高さより高い高さと、筐体の幅より大きな幅とを有する。
【００４１】
第２の態様の別の実施形態は、前面プレートの上に重なる薄板をさらに備える。
【００４２】
第２の態様の別の実施形態では、薄板は、中央開口部を含む。
【００４３】
第２の態様の別の実施形態では、薄板内の中央開口部は、遮蔽材を収容するようにサイズが決められ、成形されている。
【００４４】
第２の態様の別の実施形態では、遮蔽材の前面が薄板の前面とほぼ同一平面になり、かつ遮蔽材の外側縁部と薄板内の中央開口部の内側縁部との間にほとんど隙間がない、またはまったく隙間がないように、遮蔽材は、薄板内の中央開口部の中にある。
【００４５】
第２の態様の別の実施形態は、前方開口部に隣接して密閉箱の中に少なくとも一部が配置された赤外線（ＩＲ）光源をさらに備える。
【００４６】
第２の態様の別の実施形態では、ＩＲ光源は、少なくとも１つのＩＲ  ＬＥＤ（発光ダイオード）を備える。
【００４７】
第２の態様の別の実施形態では、ＩＲ光源は、フロントボタンの両側に配置された第１のＩＲ  ＬＥＤと、第２のＩＲ  ＬＥＤとを備える。
【００４８】
第２の態様の別の実施形態は、モーションセンサをさらに備える。
【００４９】
第２の態様の別の実施形態では、モーションセンサは、フロントボタンの後ろに配置される。
【００５０】
第２の態様の別の実施形態では、フロントボタンは、入射する光を、フロントボタンの後ろに配置されたモーションセンサ内に誘導するようにパターン形成されたフレネルレンズを備える。
【００５１】
第２の態様の別の実施形態は、通信モジュールをさらに備える。
【００５２】
第２の態様の別の実施形態では、カメラは、フロントボタンより上に配置される。
【００５３】
第２の態様の別の実施形態では、スピーカーは、フロントボタンより下に配置される。
【００５４】
第２の態様の別の実施形態では、筐体は、ジャンクションボックスの前方開口部を介してＡ／Ｖ記録通信装置をジャンクションボックスに挿入し易くするために、ジャンクションボックス上のタブを収容するように構成された上方チャネルと、下方チャネルとをさらに備える。
【００５５】
第３の態様において、前方開口部を有する密閉箱を画定し、およそ９３．４９ｍｍの高さ、およそ４７．４９ｍｍの幅及びおよそ３６．２０ｍｍの深さを有する後方部分を有する筐体と、密閉箱の中に少なくとも一部が配置され、密閉箱の前方開口部の外側に延びる視野を有するカメラと、前方開口部に隣接して密閉箱の中に少なくとも一部が配置されたスピーカーと、前方開口部に隣接して密閉箱の中に少なくとも一部が配置されたマイクロフォンと、密閉箱の中に少なくとも一部が配置され、前方開口部から外向きに突出するフロントボタンとを備える音声／ビデオ（Ａ／Ｖ）記録通信装置が提供される。
【００５６】
第３の態様の一実施形態では、筐体は、前方開口部の周りに延在する前方リップ部分をさらに備える。
【００５７】
第３の態様の別の実施形態では、前方リップ部分は、シングルギャングジャンクションボックスとの締り嵌めを形成する周辺寸法を有する。
【００５８】
第３の態様の別の実施形態では、前方リップ部分は、およそ９６．６２ｍｍの高さと、およそ５０．６２ｍｍの幅とを有する。
【００５９】
第３の態様の別の実施形態では、Ａ／Ｖ記録通信装置は、ドアベルを備える。
【００６０】
第３の態様の別の実施形態は、密閉箱の前方開口部の前方に位置決めされた遮蔽材をさらに備える。
【００６１】
第３の態様の別の実施形態では、遮蔽材は、カメラに隣接した上方開口部を含む。
【００６２】
第３の態様の別の実施形態では、遮蔽材は、フロントボタンを取り囲む下方開口部を含んでおり、下方開口部は、上方開口部の下に位置している。
【００６３】
第３の態様の別の実施形態では、遮蔽材は、上方開口部と下方開口部との間に位置する中央開口部を含む。
【００６４】
第３の態様の別の実施形態は、密閉箱の前方開口部の上に少なくとも一部が重なる前面プレートをさらに備える。
【００６５】
第３の態様の別の実施形態では、前面プレートは、筐体の高さより高い高さと、筐体の幅より大きな幅とを有する。
【００６６】
第３の態様の別の実施形態は、前面プレートの上に重なる薄板をさらに備える。
【００６７】
第３の態様の別の実施形態では、薄板は、中央開口部を含む。
【００６８】
第３の態様の別の実施形態では、薄板内の中央開口部は、遮蔽材を収容するようにサイズが決められ、成形されている。
【００６９】
第３の態様の別の実施形態では、遮蔽材の前面が薄板の前面とほぼ同一平面になり、かつ遮蔽材の外側縁部と薄板内の中央開口部の内側縁部との間にほとんど隙間がない、またはまったく隙間がないように、遮蔽材は、薄板内の中央開口部の中にある。
【００７０】
第３の態様の別の実施形態は、前方開口部に隣接して密閉箱の中に少なくとも一部が配置された赤外線（ＩＲ）光源をさらに備える。
【００７１】
第３の態様の別の実施形態では、ＩＲ光源は、少なくとも１つのＩＲ  ＬＥＤ（発光ダイオード）を備える。
【００７２】
第３の態様の別の実施形態では、ＩＲ光源は、フロントボタンの両側に配置された第１のＩＲ  ＬＥＤと、第２のＩＲ  ＬＥＤとを備える。
【００７３】
第３の態様の別の実施形態は、モーションセンサをさらに備える。
【００７４】
第３の態様の別の実施形態では、モーションセンサは、フロントボタンの後ろに配置される。
【００７５】
第３の態様の別の実施形態では、フロントボタンは、入射する光を、フロントボタンの後ろに配置されたモーションセンサ内に誘導するようにパターン形成されたフレネルレンズを備える。
【００７６】
第３の態様の別の実施形態は、通信モジュールをさらに備える。
【００７７】
第３の態様の別の実施形態では、カメラは、フロントボタンより上に配置される。
【００７８】
第３の態様の別の実施形態では、スピーカーは、フロントボタンより下に配置される。
【００７９】
第３の態様の別の実施形態では、筐体は、ジャンクションボックスの前方開口部を介してＡ／Ｖ記録通信装置をジャンクションボックスに挿入し易くするために、ジャンクションボックス上のタブを収容するように構成された上方チャネルと、下方チャネルとをさらに備える。
【００８０】
第４の態様において、前方開口部を有する密閉箱を画定し、シングルギャングジャンクションボックスに嵌合するように構成された後方部分を有する筐体と、密閉箱の中に少なくとも一部が配置され、密閉箱の前方開口部の外側に延びる視野を有するカメラと、前方開口部に隣接して密閉箱の中に少なくとも一部が配置されたスピーカーと、前方開口部に隣接して密閉箱の中に少なくとも一部が配置されたマイクロフォンと、密閉箱の中に少なくとも一部が配置され、前方開口部から外向きに突出するフロントボタンとを備える音声／ビデオ（Ａ／Ｖ）記録通信装置が提供される。
【００８１】
第４の態様の一実施形態では、筐体は、前方開口部の周りに延在する前方リップ部分をさらに備える。
【００８２】
第４の態様の別の実施形態では、前方リップ部分は、シングルギャングジャンクションボックスとの締り嵌めを形成する周辺寸法を有する。
【００８３】
第４の態様の別の実施形態では、前方リップ部分は、およそ９６．６２ｍｍの高さと、およそ５０．６２ｍｍの幅とを有する。
【００８４】
第４の態様の別の実施形態では、Ａ／Ｖ記録通信装置は、ドアベルを備える。
【００８５】
第４の態様の別の実施形態は、密閉箱の前方開口部の前方に位置決めされた遮蔽材をさらに備える。
【００８６】
第４の態様の別の実施形態では、遮蔽材は、カメラに隣接した上方開口部を含む。
【００８７】
第４の態様の別の実施形態では、遮蔽材は、フロントボタンを取り囲む下方開口部を含んでおり、下方開口部は、上方開口部の下に位置している。
【００８８】
第４の態様の別の実施形態では、遮蔽材は、上方開口部と下方開口部との間に位置する中央開口部を含む。
【００８９】
第４の態様の別の実施形態は、密閉箱の前方開口部の上に少なくとも一部が重なる前面プレートをさらに備える。
【００９０】
第４の態様の別の実施形態では、前面プレートは、筐体の高さより高い高さと、筐体の幅より大きな幅とを有する。
【００９１】
第４の態様の別の実施形態は、前面プレートの上に重なる薄板をさらに備える。
【００９２】
第４の態様の別の実施形態では、薄板は、中央開口部を含む。
【００９３】
第４の態様の別の実施形態では、薄板内の中央開口部は、遮蔽材を収容するようにサイズが決められ、成形されている。
【００９４】
第４の態様の別の実施形態では、遮蔽材の前面が薄板の前面とほぼ同一平面になり、かつ遮蔽材の外側縁部と薄板内の中央開口部の内側縁部との間にほとんど隙間がない、またはまったく隙間がないように、遮蔽材は、薄板内の中央開口部の中にある。
【００９５】
第４の態様の別の実施形態は、前方開口部に隣接して密閉箱の中に少なくとも一部が配置された赤外線（ＩＲ）光源をさらに備える。
【００９６】
第４の態様の別の実施形態では、ＩＲ光源は、少なくとも１つのＩＲ  ＬＥＤ（発光ダイオード）を備える。
【００９７】
第４の態様の別の実施形態では、ＩＲ光源は、フロントボタンの両側に配置された第１のＩＲ  ＬＥＤと、第２のＩＲ  ＬＥＤとを備える。
【００９８】
第４の態様の別の実施形態は、モーションセンサをさらに備える。
【００９９】
第４の態様の別の実施形態では、モーションセンサは、フロントボタンの後ろに配置される。
【０１００】
第４の態様の別の実施形態では、フロントボタンは、入射する光を、フロントボタンの後ろに配置されたモーションセンサ内に誘導するようにパターン形成されたフレネルレンズを備える。
【０１０１】
第４の態様の別の実施形態は、通信モジュールをさらに備える。
【０１０２】
第４の態様の別の実施形態では、カメラは、フロントボタンより上に配置される。
【０１０３】
第４の態様の別の実施形態では、スピーカーは、フロントボタンより下に配置される。
【０１０４】
第４の態様の別の実施形態では、筐体は、ジャンクションボックスの前方開口部を介してＡ／Ｖ記録通信装置をジャンクションボックスに挿入し易くするために、ジャンクションボックス上のタブを収容するように構成された上方チャネルと、下方チャネルとをさらに備える。
【０１０５】
第４の態様の別の実施形態において、ジャンクションボックスは、およそ９４．３７ｍｍの高さ、およそ４７．５９ｍｍの幅及びおよそ４０．２０ｍｍの深さを有する三次元の内部空間を有する。
【０１０６】
第４の態様の別の実施形態では、ジャンクションボックスは、およそ７６ｍｍの高さ、およそ４９ｍｍの幅及びおよそ４０ｍｍの深さを有する三次元の内部空間を有する。
【０１０７】
第４の態様の別の実施形態では、筐体の後方部分は、およそ９３．４９ｍｍの高さ、およそ４７．４９ｍｍの幅及びおよそ３６．２０ｍｍの深さを有する。
【０１０８】
ジャンクションボックス内への埋め込み用の現行の音声／ビデオ（Ａ／Ｖ）記録通信装置の種々の実施形態がここで、有利な特徴を強調して詳細に議論される。それらの実施形態は、単に例示の目的のためである添付の図面に示される、新規で非自明的な、ジャンクションボックス内への埋め込み用の音声／ビデオ記録通信装置を記述する。それらの図面は、以下の図面を含んでおり、そこでは、同一の参照符号が同一の部分を示す。
【図面の簡単な説明】
【０１０９】
【図１】本開示の種々の態様による、音声／ビデオ（Ａ／Ｖ）記録通信装置によって取り込まれたＡ／Ｖコンテンツを流し、記憶するためのシステムを例示する機能ブロック図である。
【図２】本開示の種々の態様による、Ａ／Ｖ記録通信装置からＡ／Ｖコンテンツを流し、記憶するためのプロセスを例示するフローチャートである。
【図３】本開示の種々の態様による、ジャンクションボックス内に平面取り付けするＡ／Ｖ記録通信装置の前方斜視図である。
【図４】ジャンクションボックスと係合した図３のＡ／Ｖ記録通信装置の前方斜視図である。
【図５】図３のＡ／Ｖ記録通信装置の後方斜視図である。
【図６】ジャンクションボックスと係合した図３のＡ／Ｖ記録通信装置の後方斜視図である。
【図７】図４のジャンクションボックスの前方斜視図である。
【図８】図７のジャンクションボックスの前方立面図である。
【図９】図７の線９−９を通るように切り取った図７のジャンクションボックスの右側断面図である。
【図１０】図３のＡ／Ｖ記録通信装置の筐体の前方斜視図である。
【図１１】図１０の筐体の前方立面図である。
【図１２】図１０の筐体の後方立面図である。
【図１３】ジャンクションボックスと係合し、かつＡ／Ｖ記録通信装置の一部の前向きの構成要素が取り外された図３のＡ／Ｖ記録通信装置の前方斜視図である。
【図１４】図３のＡ／Ｖ記録通信装置の構成要素の機能ブロック図である。
【図１５】ジャンクションボックスなしの図１３のＡ／Ｖ記録通信装置の前方斜視図である。
【図１６】さらに前向きの構成要素が取り外された図１５のＡ／Ｖ記録通信装置の前方斜視図である。
【図１７】後部筐体が取り外された、図１６のＡ／Ｖ記録通信装置の前方斜視図である。
【図１８】後部筐体が取り外された、図３のＡ／Ｖ記録通信装置の後方斜視図である。
【図１９】さらなる後ろ向きの構成要素が取り外された図１８のＡ／Ｖ記録通信装置の後方斜視図である。
【図２０】薄板と、遮蔽材がフロントカバーパネルから取り外されたのを示す、図３のＡ／Ｖ記録通信装置の一部を分解組立図で示した前方斜視図である。
【図２１】本開示の種々の実施形態に従って本実施形態が実施され得るクライアントデバイスの機能ブロック図である。
【図２２】本開示の種々の態様に従って実施され得る汎用コンピューティングシステムの機能ブロック図である。
【考案を実施するための形態】
【０１１０】
以下の詳細な説明は、図面を参照して本実施形態を説明する。図面では、参照符号が本実施形態の要素をラベル付けする。これらの参照符号は、対応する図面の特徴の考察と関連して以下で再現される。
【０１１１】
ジャンクションボックス内への埋め込み用の現行の音声／ビデオ記録通信装置の実施形態が、図面を参照して以下で説明される。それらの図面及びそれらの記述される説明は、装置の特定の構成要素が一体式に形成され、特定の他の構成要素は、別の部品としてとして形成されることを示している。当業者は、統合して形成されるものとして本明細書で示され及び説明される構成要素が、代替的な実施形態では、別個の部品として形成されてもよいことを認識するであろう。当業者は更に、別個の部品として形成されるものとして本明細書で示され及び説明される構成要素が、代替的な実施形態では、統合して形成されてもよいことを認識するであろう。さらに、本明細書で使用されるように、一体式という用語は単一のまとまった部品を記述する。
【０１１２】
図１を参照すると、本実施形態は、音声／ビデオ（Ａ／Ｖ）記録通信装置１００を含む。本開示はＡ／Ｖ記録通信ドアベルを含む方法及びシステムの多数の例を提供するが、本実施形態は、ドアベル以外のＡ／Ｖ記録通信装置に対しても等しく適用可能である。例えば、本実施形態は、１つまたは複数のＡ／Ｖ記録通信ドアベルに代えて、またはそれに加えて、１つまたは複数のＡ／Ｖ記録通信防犯カメラを含む場合もある。一例のＡ／Ｖ記録通信防犯カメラは、本明細書で説明されるドアベルの構造及び／または機能性のほぼ全てを含んでよいが、フロントボタンと、関連する構成要素は含まない。
【０１１３】
Ａ／Ｖ記録通信装置１００は、例えば住居、会社、保管施設等の建造物（図示せず）への入口近くに配置されてよい。Ａ／Ｖ記録通信装置１００は、カメラ１０２、マイクロフォン１０４及びスピーカー１０６を含む。カメラ１０２は、例えば、１０８０ｐまたはそれよりも良好な画像表示解像度においてビデオ画像を取り込む能力を有するものなど、高精細（ＨＤ）ビデオカメラを備えてよい。図示されないが、Ａ／Ｖ記録通信装置１００はまた、筐体、１つまたは複数のモーションセンサ（及び／または他のタイプのセンサ）、ボタンなど、他のハードウェア及び／または構成要素を含んでもよい。Ａ／Ｖ記録通信装置１００は、２０１６年３月１５日に出願された米国実用新案登録出願公開第２０１５／００２２６２０号（出願シリアル番号１４／４９９，８２８号）、第２０１５／００２２６１８号（出願シリアル番号１４／３３４，９２２号）及び／または米国実用新案登録出願シリアル番号６２／３０８，７４６号において説明された無線通信ドアベルと同様の構成部品及び／または機能性をさらに含む場合もあり、これらの実用新案登録は全て、あたかも完全に記載されるようにその全体が参照により本明細書に組み込まれている。
【０１１４】
さらに図１を参照すると、Ａ／Ｖ記録通信装置１００は、例えば有線ネットワーク及び／または無線ネットワークであり得るユーザネットワーク１１０と通信する。ユーザネットワーク１１０が無線である場合、または無線構成要素を含む場合、ネットワーク１１０は、ＩＥＥＥ８０２．１１規格及び／または他の無線通信規格（複数可）と互換性のあるＷｉ−Ｆｉネットワークであってよい。ユーザネットワーク１１０は、例えばインターネット及び/または公衆交換電話網（ＰＳＴＮ）を含み得る別のネットワーク１１２に接続される。以下に説明するように、Ａ／Ｖ記録通信装置１００は、ユーザネットワーク１１０及びネットワーク１１２（インターネット／ＰＳＴＮ）を介してユーザのクライアントデバイス１１４と通信してよい。ユーザのクライアントデバイス１１４は、例えば、スマートフォンなどの携帯電話（セルラー式電話と称される場合もある）、携帯情報端末（ＰＤＡ）または別の通信デバイスを含んでよい。ユーザのクライアントデバイス１１４は、ストリーミング及び／または記録されたビデオ画像を表示する能力を有するディスプレイ（図示せず）及び関連する構成要素を含む。ユーザのクライアントデバイス１１４はまた、流れている音声及び／または記録された音声を放送することが可能なスピーカー及び関連する構成要素を有する場合もあり、またマイクロフォンを有してもよい。Ａ／Ｖ記録通信装置１００は、ユーザネットワーク１１０及びネットワーク１１２（インターネット／ＰＳＴＮ）を介して１つまたは複数のリモートストレージデバイス（複数可）１１６（「クラウドストレージデバイス（複数可）」と区別なく呼ばれる場合もある）、１つまたは複数のサーバ１１８及び／またはバックエンドＡＰＩ（アプリケーションプログラミングインターフェース）１２０と通信してもよい。図１は、ストレージデバイス１１６、サーバ１１８及びバックエンドＡＰＩ１２０をネットワーク１１２とは別個の構成要素として示しているが、ストレージデバイス１１６、サーバ１１８及び／またはバックエンドＡＰＩ１２０がネットワーク１１２の構成要素であると見なされる場合もあることが理解されるべきである。
【０１１５】
ネットワーク１１２は、図１に示す上述のモジュール、装置、及びシステムを動作可能なように結合するように構成された任意の無線ネットワークまたは有線ネットワークまたはその組み合わせであってよい。例えばネットワーク１１２は、以下のＰＳＴＮ（公衆交換電話網）、インターネット、ローカルイントラネット、ＰＡＮ（パーソナルエリアネットワーク）、ＬＡＮ（ローカルエリアネットワーク）、ＷＡＮ（広域ネットワーク）、ＭＡＮ（メトロポリタンエリアネットワーク）、仮想プライベートネットワーク（ＶＰＮ）、ストレージエリアネットワーク（ＳＡＮ）、フレームリレー接続、高度インテリジェントネットワーク（ＡＩＮ）接続、同期型光ネットワーク（ＳＯＮＥＴ）接続、デジタルＴ１、Ｔ３、Ｅ１もしくはＥ３回線、デジタルデータサービス（ＤＤＳ）接続、ＤＳＬ（デジタル加入者回線）接続、イーサネット（登録商標）接続、ＩＳＤＮ（サービス総合デジタル網）回線、Ｖ．９０、Ｖ．３４もしくはＶ．３４ｂｉｓアナログモデム接続等のダイヤルアップポート、ケーブルモデム、ＡＴＭ（非同期転送モード）接続、またはＦＤＤＩ（光ファイバ分散データインタフェース）、またはＣＤＤＩ（銅線分散データインタフェース）(Ｃｏｐｐｅｒ  Ｄｉｓｔｒｉｂｕｔｅｄ  Ｄａｔａ  Ｉｎｔｅｒｆａｃｅ）接続のうちの１つまたは複数を含んでよい。さらに、通信は、ＷＡＰ（ワイヤレスアプリケーションプロトコル）、ＧＰＲＳ（ジェネラルパケットラジオサービス）、ＧＳＭ（登録商標）（グローバルシステムフォーモバイルコミュニケーション）、ＬＴＥ、ＶｏＬＴＥ，ＬｏＲａＷＡＮ、ＬＰＷＡＮ、ＲＰＭＡ、ＬＴＥＣａｔ−「Ｘ」（例えばＬＴＥＣａｔ１，ＬＴＥＣａｔ０，ＬＴＥＣａｔＭ１，ＬＴＥＣａｔＮＢ１）、ＣＤＭＡ（符号分割多元接続）、ＴＤＭＡ（時分割多元接続）、ＦＤＭＡ（周波数分割多元接続）及び／またはＯＦＤＭＡ（直交周波数分割多元接続）セルラー電話網、ＧＰＳ、ＣＤＰＤ（セルラーデジタルパケットデータ）、ＲＩＭ（リサーチインモーションリミテッド）全二重ページングネットワーク、ブルートゥース（登録商標）無線、またはＩＥＥＥ８０２．１１ベースの無線周波数ネットワークを含めた様々な無線ネットワークのいずれかへのリンクを含んでもよい。ネットワークはさらに、以下のＲＳ−２３２シリアル接続、ＩＥＥＥ−１３９４（ファイヤーワイヤ）接続、ファイバチャネル接続、ＩｒＤＡ（赤外線）ポート、ＳＣＳＩ（スモールコンピュータシステムインタフェース）接続、ＵＳＢ（ユニバーサルシリアルバス）接続、または他の有線もしくは無線、デジタルもしくはアナログ、インタフェースもしくは接続、メッシュもしくはＤｉｇｉ（登録商標）ネットワーキングのうちのいずれか１つまたは複数を含む、またはそれらのうちのいずれか１つまたは複数とインタフェース接続することができる。
【０１１６】
本実施形態の１つまたは複数の態様によると、人（「訪問者」と区別なく呼ばれる場合がある）がＡ／Ｖ記録通信装置１００に到達する際、Ａ／Ｖ記録通信装置１００は、訪問者の存在を検出し、カメラ１０２の視野内のビデオ画像の取り込みを開始する。またＡ／Ｖ記録通信装置１００は、マイクロフォン１０４を通して音声を取り込むこともできる。Ａ／Ｖ記録通信装置１００は、カメラ１０２及び／またはモーションセンサを利用して動きを検出することによって、及び／または訪問者がＡ／Ｖ記録通信装置１００のフロントボタンを押したことを検出することによって（Ａ／Ｖ記録通信装置１００がドアベルである場合）、訪問者の存在を検出することができる。
【０１１７】
訪問者の検出に応えて、Ａ／Ｖ記録通信装置１００は、ユーザネットワーク１１０及びネットワーク１１２を介してユーザのクライアントデバイス１１４（図１）に警報を送る。Ａ／Ｖ記録通信装置１００はまた、ユーザのクライアントデバイス１１４にストリーミングビデオを送信する、また同様にストリーミング音声を送信する場合もある。ユーザが警報に答えた場合、Ａ／Ｖ記録通信装置１００及びユーザのクライアントデバイス１１４を通して訪問者とユーザとの間に双方向音声通信が生じ得る。ユーザは、通話の持続時間の間中訪問者を観察することができるが、訪問者はユーザを見ることはできない（Ａ／Ｖ記録通信装置１００が、ディスプレイを含んでいない場合であり、これは一部の実施形態では含まれる場合もある）。
【０１１８】
Ａ／Ｖ記録通信装置１００のカメラ１０２によって取り込まれたビデオ画像（ならびにマイクロフォン１０４によって取り込まれた音声）は、クラウドにアップロードされ、リモートストレージデバイス１１６（図１）に記録されてよい。一部の実施形態では、ユーザが自身のクライアントデバイス１１４に送信された警報を無視することを選んだ場合でさえ、ビデオ及び／または音声は、リモートストレージデバイス１１６に記録されてよい。
【０１１９】
さらに図１を参照すると、システムはさらに、１つまたは複数の構成要素を含むバックエンドＡＰＩ１２０を含んでよい。バックエンドＡＰＩ（アプリケーションプログラミングインタフェース）は、例えば１つのサーバ（例えば、実サーバ、仮想マシン、もしくはクラウドインフラストラクチャ内でサービスとして稼働するマシン）、または少なくとも１つのＡＰＩをそれにアクセスするクライアント（複数可）に公開する、共にネットワーク化された複数のサーバを含む場合がある。それらのサーバは、キャッシュ層、データベース層、または他の構成要素など、どの他の構成要素が含まれるかに応じて、アプリケーションサーバ（例えば、ソフトウェアサーバ）などの構成要素を含んでもよい。バックエンドＡＰＩは、例えば、その各々がそれらのパブリックＡＰＩを使用して相互に通信する、多くのそのようなアプリケーションを含んでもよい。一部の実施形態では、ＡＰＩバックエンドは、ユーザデータの大部分を保持し、ユーザ管理能力を提供し、クライアントを非常に制限された状態にし得る。
【０１２０】
図１に示すバックエンドＡＰＩ１２０は、１つまたは複数のＡＰＩを含んでよい。ＡＰＩは、ソフトウェア及びアプリケーションを構築するための一セットのルーチン、プロトコル及びツールである。ＡＰＩは、その動作、入力、出力及び基本的なタイプに関するソフトウェア構成要素を表し、インタフェースに影響を与えることなく定義及び実装態様が変化することを可能にする、それぞれの実装態様とは独立した機能性を定義する。有利なことに、ＡＰＩは、プログラマがアプリケーション自体を修正する必要がなく、またはアプリケーションがどのように機能しているかを理解する必要すらなしに、プログラマにアプリケーションの機能性へのアクセスを提供することができる。ＡＰＩは、ウェブベースシステム、オペレーティングシステム、またはデータベースシステム用であってもよく、それは、所与のプログラミング言語を使用して、そのシステムについてのアプリケーションを開発するための能力を提供する。データベース、またはハードディスクドライブもしくはビデオカードのようなコンピュータハードウェアにアクセスすることに加えて、ＡＰＩは、ＧＵＩ構成要素をプログラムする作業を軽減することができる。例えば、ＡＰＩは、既存のアプリケーションへの新たな機能の統合を容易にすることができる（いわゆる「プラグインＡＰＩ」）。ＡＰＩはまた他に、共有するデータによって異なるアプリケーションを支援することができ、このことは、アプリケーションの機能性を統合し強化するのに役立つことができる。
【０１２１】
図１に示すバックエンドＡＰＩ１２０はさらに、（ネットワークサービスとも呼ばれる）１つまたは複数のサービスを含んでよい。ネットワークサービスは、データ記憶、操作、提示、通信及び／または他の能力を提供するアプリケーションである。ネットワークサービスは、アプリケーションレイヤネットワークプロトコルに基づいて、クライアント−サーバアーキテクチャを使用して実施されることが多い。各々のサービスは、１つまたは複数のコンピュータ（複数のサービスを提供する専用サーバコンピュータなど）上で稼働するサーバ構成要素によって提供され、他のデバイス上で稼働するクライアント構成要素によってネットワークを介してアクセスされてよい。しかしながら、クライアントとサーバ構成要素が両方とも同一のマシン上で稼働する場合もある。クライアント及びサーバは、ユーザインタフェース、及び時にはそれらと関連付けられた他のハードウェアを有する場合がある。
【０１２２】
図２は、本開示の種々の態様による、Ａ／Ｖ記録通信装置１００からＡ／Ｖコンテンツを流し記憶するためのプロセスを例示するフローチャートである。ブロックＢ２００において、Ａ／Ｖ記録通信装置１００は、訪問者の存在を検出し、カメラ１０２の視野内のビデオ画像を取り込む。Ａ／Ｖ記録通信装置１００は、マイクロフォン１０４を通して音声を取り込む場合もある。上記で説明したように、Ａ／Ｖ記録通信装置１００は、カメラ１０２及び／またはモーションセンサを利用して動きを検出することによって、及び／または訪問者がＡ／Ｖ記録通信装置１００のフロントボタンを押したことを検出することによって（Ａ／Ｖ記録通信装置１００がドアベルである場合）、訪問者の存在を検出することができる。同様に上記で説明したように、ビデオの記録／取り込みは、訪問者が検出されたときに開始してよい、または以下で説明するようにこれより早く開始する場合もある。
【０１２３】
ブロックＢ２０２において、Ａ／Ｖ記録通信装置１００の通信モジュールは、ユーザネットワーク１１０及びネットワーク１１２を介してネットワーク１１２内のデバイスにリクエストを送る。例えば、リクエストが送信されるネットワークデバイスは、サーバ１１８などのサーバであってよい。サーバ１１８は、他のマシンまたはソフトウェア（クライアント）からのリクエストを待ち、それらに応答するコンピュータプログラム及び／またはマシンを備えてよい。サーバは典型的には、データを処理する。サーバの目的は、クライアント間でデータ及び／またはハードウェア及び／またはソフトウェアリソースを共有することである。このようなアーキテクチャは、クライアント−サーバモデルと呼ばれる。クライアントは、同一のコンピュータ上で稼働してよい、またはネットワークを介してサーバに接続してもよい。コンピューティングサーバの例は、データベースサーバ、ファイルサーバ、メールサーバ、プリントサーバ、ウェブサーバ、ゲームサーバ及びアプリケーションサーバを含む。サーバという用語は、１つまたは複数のクライアント処理に対してリソースを共有するいずれかのコンピュータ化された処理を含むように広義に解釈されてよい。別の例では、リクエストが送信されるネットワークデバイスは、上記に説明したバックエンドＡＰＩ１２０などのＡＰＩである場合もある。
【０１２４】
リクエストに応答して、ブロックＢ２０４において、ネットワークデバイスは、ユーザネットワーク１１０及びネットワーク１１２を介してＡ／Ｖ記録通信装置１００をユーザのクライアントデバイス１１４に接続してよい。ブロックＢ２０６において、Ａ／Ｖ記録通信装置１００は、カメラ１０２、マイクロフォン１０４及び／または利用可能な任意の他のデバイス／センサを使用して、利用可能な音声及び／またはビデオデータを記録してよい。ブロックＢ２０８において、音声及び／またはビデオデータは、ユーザネットワーク１１０及びネットワーク１１２を介してＡ／Ｖ記録通信装置１００からユーザのクライアントデバイス１１４に伝送される（流される）。ブロックＢ２１０において、ユーザは自身のクライアントデバイス１１４上で、通話を承認する、または拒否するためにプロンプトによって通知を受信してよい。
【０１２５】
ブロックＢ２１２において、プロセスは、ユーザが通話を承認したか、または拒否したかを判断する。ユーザが通知を拒否した場合、プロセスは、ブロックＢ２１４に進み、そこでは音声及び／またはビデオデータがクラウドサーバに記録され保管される。セッションは次いで、ブロックＢ２１６において終了し、Ａ／Ｖ記録通信装置１００と、ユーザのクライアントデバイス１１４との間の接続が終了する。しかしながら、ユーザが通知を承認する場合、ブロックＢ２１８においてユーザは、ユーザのクライアントデバイス１１４を通じて訪問者と通信し、カメラ１０２、マイクロフォン１０４及び／または他のデバイス／センサによって取り込まれた音声及び／またはビデオデータがユーザのクライアントデバイス１１４に流される。通話の終わりに、ユーザは、ユーザのクライアントデバイス１１４と、Ａ／Ｖ記録通信装置１００との間の接続を終終了させてよく、セッションはブロックＢ２１６において終了する。一部の実施形態では、音声及び／またはビデオデータは、ユーザが通知を承認し、ユーザのクライアントデバイス１１４を通じて訪問者と通信する場合でさえ、クラウドサーバに記録され保管される場合もある（ブロックＢ２１４）。
【０１２６】
図３〜図１２は、本開示の種々の態様による、現行のジャンクションボックス内への埋め込み用の音声／ビデオ（Ａ／Ｖ）記録通信装置の一実施形態を示す。例示されるＡ／Ｖ記録通信装置１３０はフロントボタン１３２を含むドアベルを備えるが、代替の実施形態では、Ａ／Ｖ記録通信装置１３０は、防犯カメラ（フロントボタン１３２を含まない場合もある）など別のタイプの装置を備える場合もある。それぞれ前方斜視図と後方斜視図である、図３及び図５を参照すると、Ａ／Ｖ記録通信装置１３０は、前面プレート１３４（図５）と、前面プレート１３４から後方に延在する筐体１３６とを含む。図５および図１０を参照すると、筐体１３６は、密閉箱１３８を画定し、筐体１３６の前方で半径方向に外向きに延在する前方リップ部分１４０を含む。前方リップ部分１４０は、筐体１３６の前方開口部１４２（図１０）の周りに延在する。図３及び図５を参照すると、Ａ／Ｖ記録通信装置１３０は、前面プレート１３４と係合する取り外し可能な薄板１４４をさらに備える。取り外し可能な薄板１４４は、図２０を参照して以下でさらに詳細に説明する。
【０１２７】
それぞれ前方斜視図と後方斜視図である、図４及び図６を参照すると、筐体１３６は、ジャンクションボックス１４６に嵌合するようにサイズが決められ、そのように構成されている。詳細には、筐体１３６は、標準的なサイズのシングルギャングジャンクションボックス１４６に嵌合するようにサイズが決められ、そのように構成されている。ジャンクションボックスはまた、共通してデバイスボックスとも呼ばれ、本開示では、用語「ジャンクションボックス」と、「デバイスボックス」は相互に交換可能に使用されてよい。
【０１２８】
標準的なサイズのシングルギャングジャンクションボックス１４６の一例が、図７〜図９に示される。図７を参照すると、ジャンクションボックス１４６は、頂部壁１４８、底部壁１５０、左側及び右側の壁１５２、１５４、後部壁１５６ならびに前方開口部１５８を有する矩形の平行六面体として概ね成形されている。壁１４８、１５０、１５２、１５４、１５６の各々は、少なくとも１つの円形の突起１６０を含んでおり、側壁１５２、１５４は各々３つの均等に離間された円形突起１６０を有し、後部壁１５６は、２つの離間された円形突起１６０を有し、頂部壁及び底部壁１４８、１５０は各々単一の円形突起１６０を有する。円形突起１６０の各々は、ジャンクションボックス１４６の内部空間へと延出し、ジャンクションボックス１４６の壁１４８、１５０、５２、１５４、１５６の内側面に複数の高くなった円形の部分を形成し、ジャンクションボックス１４６の壁１４８、１５０、１５２、１５４、１５６の外側面に対応する円形のくぼみ１６２を形成している。後部壁１５６の上方端は、ジャンクションボックス１４６の内部空間に延出する凸／凹面１６４を含んでおり、ジャンクションボックス１４６の後部壁１５６の内側面に高くなった凸面部分１６６を形成し（図９）、ジャンクションボックス１４６の後部壁１５６の外側面に対応するくぼんだ凹面部分１６８を形成している。図７を参照すると、ジャンクションボックス１４６は、前方開口部１４２の上方縁部１７２の中心と、下方縁部１７４の中心からそれぞれ内向きに延びる一対のタブ１７０をさらに含む。各タブ１７０は、以下で説明するように、Ａ／Ｖ記録通信装置１３０をジャンクションボックス１４６の中に固定するための締結部材を収容するための孔１７６を含む。
【０１２９】
標準的なサイズのジャンクションボックス１４６の一例の寸法が図８及び図９に示される。図８を参照すると、ジャンクションボックス１４６は、突起１６０の上で計測したおよそ９４．３７ｍｍ（３．７２インチ）の内側の高さ及びおよそ４７．５９ｍｍ（１．８７インチ）の内側の幅と、突起から離れて計測したおよそ９６．３２ｍｍ（３．７９インチ）の内側の高さ及びおよそ４９．４８ｍｍ（１．９５インチ）の内側の幅とを有する。図９を参照すると、ジャンクションボックス１４６は、前方縁部面１７８から、後部壁１５６の内側面にある高くなった凸面部分１６６までを計測したおよそ４０．２０ｍｍ（１．５８インチ）の内側の深さと、前方縁部面１７８から、後部壁１５６の内側面にある２つの円形突起１６０のいずれかまでを計測したおよそ４５．２０ｍｍ（１．７８インチ）の内側の深さと、前方縁部面１７８から、高くなった凸面部分１６６及び２つの円形突起１６０から離れた後部壁１５６の内側面までを計測したおよそ４６．２０ｍｍ（１．８２インチ）の内側の深さとを有する。
【０１３０】
図５及び図１０を参照すると、筐体１３６は、標準的なサイズのジャンクションボックス１４６に嵌合するようにサイズが決められ、そのように構成されており、左側及び右側の壁１８０、１８２、後部壁１８４、前方開口部１４２、上方チャネル１９０によって隔てられた一対の上方キー溝１８８及び下方チャネル１９４によって隔てられた一対の下方キー溝１９２を有する矩形の平行六面体として概ね成形されている。筐体１３６の一例の寸法が、図１０〜図１２に示される。図１０を参照すると、筐体１３６は、前方リップ部分１４０の前面１９６から後部壁１８４の外側面までを計測したおよそ３６．２０ｍｍ（１．４３インチ）の外側の深さを有する。図１１を参照すると、筐体１３６は、前方リップ部分１４０上で計測したおよそ９６．６２ｍｍ（３．８０インチ）の外側の高さと、前方リップ部分１４０上で計測したおよそ５０．６２ｍｍ（１．９９インチ）の外側の幅とを有する。図１２を参照すると、筐体１３６は、上方キー溝１８８の外側面と下方キー溝１９２の外側面との間で計測したおよそ９３．４９ｍｍ（３．６８インチ）の外側の高さと、左側の側壁１８０の外側面と右側の側壁１８２の外側面との間で計測したおよそ４７．４９ｍｍ（１．８７インチ）の外側の幅とを有する。
【０１３１】
ジャンクションボックス１４６と、筐体１３６のいずれか、またはその両方に関して上記に提供した寸法は、例えば±１ｍｍなどの平均的な製造公差の範囲内で変動する可能性がある。さらに、筐体１３６の寸法は、Ａ／Ｖ記録通信装置１３０が異なるサイズのジャンクションボックスに嵌合することを可能にするために変化する場合もある。例えば代替の実施形態では、筐体１３６は、およそ７６ｍｍ（２．９９インチ）の内側の高さと、およそ４９ｍｍ（１．９３インチ）の内側の幅と、およそ４０ｍｍ（１．５７インチ）の内側の深さとを有するジャンクションボックス（図示せず）に嵌合するようにサイズが決められ、そのように構成される場合もある。斯かる実施形態では、筐体１３６は、例えば筐体１３６の高さを縮小するために、上方キー溝及び／または下方キー溝１８８、１９２を省略する（またはその高さ（複数可）を縮小する）場合もある。
【０１３２】
ジャンクションボックス１４６及び筐体１３６に関して上記で提供した寸法の例では、筐体１３６の外側の高さ（９６．６２ｍｍ）及び外側の幅（５０．６２ｍｍ）は、突起１６０から離れて計測したときのジャンクションボックス１４６の内側の高さ（９６．３２ｍｍ）及び内側の幅（４９．４８ｍｍ）それぞれより各々が大きい。このような相対的な寸法は、筐体１３６の前方リップ部分１４０と、ジャンクションボックス１４６との間に締まり嵌めを生み出す。図１３を参照すると、Ａ／Ｖ記録通信装置１３０が、ジャンクションボックス１４６の中に据えられたとき、筐体１３６の前方リップ部分１４０は、円形突起１６０の前方でジャンクションボックス１４６の内側面に当接する。筐体１３６の前方リップ部分１４０とジャンクションボックス１４６との間の締まり嵌めは有利には、ジャンクションボックス１４６の内部空間への水分の進入を阻止するため、Ａ／Ｖ記録通信装置１３０が屋外環境に配置される機能を高める。筐体１３６は、種々のプラスチックなど、耐久性があり、好ましくは水分を通さない任意の好適な材料で構築されてよい。プラスチックの例には、限定するものではないが、ナイロン、ポリカーボネート、ポリエチレン、ポリプロピレン、ポリウレタン、エチレン酢酸ビニール（ＥＶＡ）及びアクリロニトリルブタジエンスチレン（ＡＢＳ）が含まれる。別のプラスチックの例には、限定するものではないが、上述のプラスチックのいずれかの混合体が含まれる。例えば１つの非限定的な例の実施形態では、筐体１３６は、ＡＢＳとポリカーボネートとの混合体を有してよい。
【０１３３】
図７、図１０及び図１３を参照すると、筐体１３６内の上方チャネル及び下方チャネル１９０、１９４（図１０）は、前方開口部１５８を通してＡ／Ｖ記録通信装置１３０をジャンクションボックス１４６に挿入し易くするために、ジャンクションボックス１４６上のタブ１７０（図７）を収容する。図１９を参照すると、前面プレート１３４は、ジャンクションボックス１４６上のタブ１７０上の上方孔及び下方孔１７６（図７）と直線上に並ぶ上方孔と、下方孔４３８とを含む。Ａ／Ｖ記録通信装置１３０をジャンクションボックス１４６の中に固定するために、位置合わせされた孔１７６、４３８の中にねじ（図示せず）などの締結部材が挿入されてよい。
【０１３４】
図１４は、Ａ／Ｖ記録通信装置１３０の一実施形態の構成要素及び互いに対するその関係性を示す機能ブロック図である。例えばＡ／Ｖ記録通信装置１３０は、家庭用ＡＣ電源３０４（ＡＣ主電源と呼ばれる場合もある）などの外部ＡＣ（交流）電力の供給源に接続されるように構成された一対の端子３００、３０２を含む。ＡＣ電源３０４は、例えば１６〜２４ＶＡＣの範囲内の電圧を有してよい。入力ＡＣ電源３０４は、ＡＣ／ＤＣ整流器３０６によってＤＣ（直流）に変換されてよい。ＡＣ／ＤＣ整流器３０６の出力は、ＤＣ／ＤＣ変換器３０８の入力に接続されてよく、これは、ＡＣ／ＤＣ整流器３０６の出力からの電圧を、例えば１６〜２４ＶＤＣからおよそ５ＶＤＣのより低い電圧に下げることができる。種々の実施形態では、ＤＣ／ＤＣ変換器３０８の出力は、例えばおよそ２．５Ｖからおよそ７．５Ｖの範囲内であってよい。
【０１３５】
図１４をさらに参照すると、ＤＣ／ＤＣ変換器３０８の出力は、電力マネージャ３１０に接続され、これは、プロセッサコア、メモリ及び／またはプログラム可能入／出力周辺機器を含めた集積回路を備えてよい。１つの非限定的な例では、電力マネージャ３１０は、Ｔｅｘａｓ  Ｉｎｓｔｒｕｍｅｎｔｓによって製造されるＢＱ２４７７３チップなどの標準規格の構成要素であってよい。以下で詳細に説明するように、電力マネージャ３１０は、なかでもとりわけ、外部電源３０４から引き出される電力の量ならびに電池３１２からＡ／Ｖ記録通信装置１３０に引き出される電力の量を制御する。電力マネージャ３１０が、例えば外部電源３０４から引き出される電力の量を制限し得ることで、閾値の電力引き出し量を超えることがない。１つの非限定的な例では、ＤＣ／ＤＣ変換器３０８の出力で計測される際の閾値電力は、１．４Ａに匹敵し得る。電力マネージャ３１０はまた、例えば外部電源３０４から引き出され、電池を充電するために電池３１２に誘導される電力の量も制限してよい。電力マネージャ３１０の出力は、電力シーケンサ３１４に接続され、これは、通信モジュール３１６、フロントボタン１３２、マイクロフォン３１８、スピーカードライバ３２０、スピーカー３２２、音声ＣＯＤＥＣ（コーダー−デコーダ）３２４、カメラ３２６、赤外線（ＩＲ）光源３２８、ＩＲカットフィルタ３３０，プロセッサ３３２（制御装置３３２と呼ばれる場合もある）、複数の光インジケータ３３４、及び光インジケータ３３４のための制御装置３３６を含めた、Ａ／Ｖ記録通信装置１３０の他の構成要素への電力送達の順序を制御する。これらの構成要素の各々が、以下でさらに説明される。電力シーケンサ３１４は、プロセッサコア、メモリ及び／またはプログラム可能入／出力周辺機器を含む集積回路を備えてよい。１つの非限定的な例では、電力シーケンサ３１４は、Ｒｉｃｈｔｅｋによって製造されるＲＴ５０２４チップなど標準規格の構成要素であってよい。通信モジュール３１６は、無線通信の送受信を促進するために無線アンテナ３１７を含んでよい。
【０１３６】
図１４をさらに参照すると、Ａ／Ｖ記録通信装置１３０は、フロントボタン１３２が押下される際に閉じる電子スイッチ３３８をさらに備える。電子スイッチ３３８が閉じる際、ＡＣ電源３０４からの電力は、以下でさらに説明するようにＡ／Ｖ記録通信装置１３０の外側にある信号装置３４０を通るように進路が変えられて、信号装置３４０に音を発するようにさせる。１つの非限定的な例では、電子スイッチ３３８は、トライアック装置であってよい。Ａ／Ｖ記録通信装置１３０は、以下でさらに説明するように、プロセッサ３３２のハードリセットを開始するように構成されたリセットボタン３４２をさらに備える。
【０１３７】
図１４をさらに参照すると、プロセッサ３３２は、以下で説明するように、データ処理及び種々の他の機能を行うことができる。プロセッサ３３２は、プロセッサコア、メモリ３４４、不揮発性メモリ３４６及び／またはプログラム可能入／出力周辺機器（図示せず）を含む集積回路を備えてよい。メモリ３４４は、例えば、ＤＤＲ３（ダブルデータレートタイプの３つの同期ダイナミックランダムアクセスメモリ）を有してよい。不揮発性メモリ３４６は、例えば、ＮＡＮＤフラッシュメモリを有してよい。図１４に例示される実施形態では、メモリ３４４及び不揮発性メモリ３４６は、プロセッサ３３２を表すボックス内に示される。しかしながら、図１４に例示される実施形態は単なる一例にすぎず、一部の実施形態では、メモリ３４４及び／または不揮発性メモリ３４６は、プロセッサ３３２と必ずしも物理的に統合される訳ではない。メモリ３４４及び／または不揮発性メモリ３４６は、それらの物理的な位置に関わらず、現行のＡ／Ｖ記録通信装置１３０の１つまたは複数の他の構成要素（プロセッサ３３２に加えて）によって共有されてもよい。
【０１３８】
ユーザと訪問者との間のデジタル音声の転送は、プロセッサ３３２に作動可能に結合された音声ＣＯＤＥＣ３２４を使用して圧縮及び圧縮解除されてもよい。訪問者が話す際、訪問者からの音声は音声ＣＯＤＥＣ３２４によって圧縮され、デジタル音声データが、通信モジュール３１６を通じてユーザネットワーク１１０を介してネットワーク１１２に送信され、サーバ１１８によって経路指定され、ユーザのクライアントデバイス１１４に配信される（図１）。ユーザが話す際、ネットワーク１１２、ユーザネットワーク１１０及び通信モジュール３１６を通じて転送された後、デジタル音声データは、音声ＣＯＤＥＣ３２４によって圧縮解除され、スピーカードライバ３２０によって駆動されるスピーカー３２２を介して訪問者に発せられる。
【０１３９】
図１４をさらに参照すると、本実施形態の一部は、信号装置３４０と並列に接続された分流器３４８を含む場合もある。分流器３４８は、信号装置３４０を誤ってトリガすることなくＡＣ電源３０４から電力を引き出すＡ／Ｖ記録通信装置１３０の機能を促進する。分流器３４８は、通常の待機動作中、信号装置３４０の端子３００，３５０の両端で数オームなどの比較的低い電気インピーダンスを提示する。故にＡ／Ｖ記録通信装置１３０によって引き出される電流の大半は、分流器３４８を通って流れ、信号装置３４０は通らない。しかしながら分流器３４８は、例えば数オームなどの低インピーダンスの状態と、例えば１Ｋオームを超えるような高インピーダンスの状態との間で分流器３４８を切り換える電子回路を含んでいる。Ａ／Ｖ記録通信装置１３０のフロントボタン１３２が押される際、電子スイッチ３３８が閉じて、ＡＣ電源３０４からの電圧をほとんどが分流器３４８及び信号装置３４０を並行して横切るように印加させ、その一方でおよそ１Ｖなどの少量の電圧が電子スイッチ３３８を横切るように印加される。分流器３４８内の回路は、この電圧を検知し、分流器３４８を高インピーダンス状態に切り換え、その結果ＡＣ電源３０４からの電力は、信号装置３４０を通るように進路が変えられる。進路が変えられたＡＣ電力供給３０４は、信号装置３４０に音声を発するようにさせるために必要な閾値を超えている。Ａ／Ｖ記録通信装置１３０のフロントボタン１３２を押すことは故に、信号装置３４０に音を出させ、Ａ／Ｖ記録通信装置１３０が設置される構造物の中にいる任意の人（複数可）に、玄関に（またはＡ／Ｖ記録通信装置１３０の場所に相当する別の場所に）訪問者がいることについて注意を喚起する。１つの非限定的な例では、電子スイッチ３３８は、トライアック装置であってよい。
【０１４０】
上記で説明したように、Ａ／Ｖ記録通信装置１３０は、ＡＣメイン電源などの外部電源３０４（図１４）に接続されてよい。Ａ／Ｖ記録通信装置１３０は、外部電源３０４によって主に電力が供給され、外部電源３０４がＡＣメイン電源を含む場合、Ａ／Ｖ記録通信装置１３０はまた、外部電源３０４からの電力の閾値の量を超えないようにするために、充電式電池３１２からも電力を引き出すことにより、信号装置３４０に誤って音を出させるのを回避する場合もある。図１４を参照すると、電池３１２は、電力マネージャ３１０に作動可能に接続される。電力マネージャ３１０は、追加の電力が必要とされる場合、電池３１２から引き出される電力の量を制御して、Ａ／Ｖ記録通信装置１３０に電力を供給するために外部ＡＣ電源３０４から引き出される電力を補足する。電力マネージャ３１０はまた、外部電源３０４から引き出される電力を利用して電池３１２の充電作業も制御する。電池３１２は、例えば、リチウムイオン電池または任意の他のタイプの充電式電池を含んでよい。
【０１４１】
Ａ／Ｖ記録通信装置１３０は、電池加熱器（図示せず）をさらに含む場合がある。現行のＡ／Ｖ記録通信装置１３０は、低温気候を含めた屋外で使用するように構成されている。しかしながら低い温度は、エネルギー容量の低下、内部抵抗の増大、損傷なしに充電する能力の低下及び負荷電流を供給する能力の低下など、充電式電池にとってマイナスの性能の問題を引き起こす可能性がある。電池加熱器は、上述のマイナスの性能問題を緩和する、またはなくすために充電式電池３１２を温かい状態に維持するのに役立つことができる。電池加熱器は、例えば、充電式電池３１２と接触し、電流がそこを通って流れるときに熱を生み出す電気抵抗性の加熱要素を備えてよい。電池加熱器はこれにより、電力マネージャ３１０及び／または電力シーケンサ３１４（図１４）に作動可能に結合されてよい。一部の実施形態では、充電式電池３１２は、プロセッサ３３２に作動可能に接続された感熱性抵抗器（「サーミスタ」、図示されない）を含むことで、電池３１２の温度をモニタすることができ、充電式電池３１２を所望される温度範囲の中に維持するために、電池加熱器に供給される電力の量を適合させて制御することができる。
【０１４２】
図１４をさらに参照すると、Ａ／Ｖ記録通信装置１３０は、１つまたは複数のモーションセンサ３５２をさらに備えてよく、これは一部の実施形態では１つまたは複数の受動型赤外線センサ（ＰＩＲ）を備える場合がある。ＰＩＲ（複数可）３５２は、プロセッサ３３２に作動可能に接続され、その視野の範囲内で人間、動物または他の対象物の動きを検出するように構成されてよい。動きが検出されると、Ａ／Ｖ記録通信装置１３０の１つまたは複数の構成要素及び／または機能が作動されてよい。例えば、図１及び図２に関して上記で説明したように、カメラ３２６は記録を開始してよい（または記録を続けてよい）、及び／または警報がユーザのクライアントデバイス１１４に送信されてよい。
【０１４３】
図１４をさらに参照すると、Ａ／Ｖ記録通信装置１３０は、Ａ／Ｖ記録通信装置１３０とユーザネットワーク１１０との間の有線接続を促進するイーサネット（登録商標）ポート３５４をさらに備えてよい。イーサネット（登録商標）ポート３５４は、ＲＪ−４５タイプのコネクタなどの物理的なイーサネット（登録商標）接続を提供してよく、組み込まれたＬＥＤ、分離磁石、抵抗器及び／またはコンデンサのうちの１つまたは複数を有してよい。イーサネット（登録商標）ポート３５４は、イーサネット（登録商標）ＰＨＹ（物理層、チップ）デバイス３５６への電気接続を含んでよく、このデバイスはプロセッサ３３２に作動可能に接続される。イーサネット（登録商標）ＰＨＹデバイス３５６が、物理的なインタフェース信号を処理し、フォーマット化することで、プロセッサ３３２は、イーサネット（登録商標）接続を介して情報を適切に送受信することができる。イーサネット（登録商標）ＰＨＹデバイス３５６はまた、イーサネット（登録商標）ポート３５４に組み込まれてよいＬＥＤ（図示せず）のためにＬＥＤ駆動信号３５８を提供することもできる。イーサネット（登録商標）ポート３５４はまた、Ａ／Ｖ記録通信装置１３０がＰｏＥによって電力を供給され得るように、パワーオーバーイーサネット（登録商標）（ＰｏＥ）整流器３６０に接続される場合もある。ＰｏＥは、ツイストペアイーサネット（登録商標）ケーブル上でデータと共に電力を流し、これにより単一のケーブルがデータ接続と電力との両方を提供することを可能にする複数の規格化されたシステムまたはａｄ−ｈｏｃシステムのうちのいずれかを表している。ＰｏＥ整流器３６０は、例えば２つのブリッジ整流器として配置され得る複数のダイオード（８つのダイオードなど）を含む場合があり、その結果入力電力が逆の極性であった場合でも、プロセッサの介入なしにそれをなおも使用することが可能であり、またＩＥＥＥ８０２．３ａｆ規格Ａ及びＢの両方が自動的にサポートされる。ＰｏＥ整流器３６０の出力３６２は、ＤＣ／ＤＣ変換器３０８への電気入力を提供してよく、これは、ＤＣ／ＤＣ変換器３０８の入力に対する絶縁タイプのスイッチング方式電源であってよく、またＤＣ／ＤＣ変換器３０８は、例えば利用可能であるどの１つでも、１つの電気入力を自動的に選択してよい、または双方とも存在しており、かつ双方とも利用可能である場合、一方または他方をデフォルトに設定してもよい。
【０１４４】
図１４をさらに参照すると、Ａ／Ｖ記録通信装置１３０は、データポート３６４をさらに備えてよい。データポート３６４は、ＵＳＢポート、ミニＵＳＢポート、マイクロＵＳＢポートなど、Ａ／Ｖ記録通信装置１３０に物理的にインタフェース接続するために使用される任意のタイプのコネクタであってよい。データポート３６４は、プロセッサ３３２に作動可能に接続され、メモリ３４４及び／または不揮発性メモリ３４６にデータを転送する、及び／またはそこからデータを転送するのに使用されてよい。データポート３６４は、電池３１２を再充電するのにも使用されてよい。
【０１４５】
図３を参照すると、Ａ／Ｖ記録通信装置１３０の前方は、フロントボタン１３２を含んでおり、これは、プロセッサ３３２（図１４）に作動可能に接続される。図２を参照して上記で説明したものと同様のプロセスにおいて、訪問者がフロントボタン１３２を押す際、警報がユーザのクライアントデバイス１１４（図１）に送られて、誰かが彼らの玄関に（またはＡ／Ｖ記録通信装置１３０の場所に相当する別の場所に）いることをユーザに知らせることができる。図３及び図１３を参照すると、Ａ／Ｖ記録通信装置１３０は、プロセッサ３３２（図１４）に作動可能に接続され、レンズカバー３６６の後ろに配置された（図３）カメラ３２６（図１３）をさらに含む。カメラ３２６は、その視野の範囲内からビデオ画像を取り込むように構成されている。このようなビデオ画像は、ユーザのクライアントデバイス１１４に流すことができる、及び／または図２を参照して上記で説明したものと同様のプロセスに従って後で閲覧するために、リモートネットワークデバイス１１６、１１８、１２０（図１）にアップロードすることもできる。
【０１４６】
図３及び図２０を参照すると、Ａ／Ｖ記録通信装置１３０は、前面プレート１３４の上に重なる薄板１４４をさらに備える。薄板１４４は、前面３６８の後ろに配置されたくぼみ（図示せず）を含み、この場合、くぼみは、縛り嵌め係合で前面プレート１３４を収容するようにサイズが決められ成形されることで、前面プレート１３４の外側面は、薄板１４４の内側面と一致するように当接する。摩擦が薄板１４４を前面プレート１３４の周りに維持するように、前面プレート１３４の外側の寸法は薄板１４４の内側の寸法と厳密に一致してよい。代替として、または追加で、前面プレート１３４及び／または薄板１４４は、１つまたは複数のタブ、溝、スロット、支柱などの嵌め合い機構３７０を含むことで、薄板１４４を前面プレート１３４の周りに維持するのを補助する場合もある。いくつかの実施形態では、異なる色の複数の薄板１４４が設けられ得ることで、エンドユーザは、自分のＡ／Ｖ記録通信装置１３０の外観をカスタマイズしてもよい。例えば、Ａ／Ｖ記録通信装置１３０は、同じパッケージ内の異なる色の複数の薄板１４４と共に包装され、販売されてよい。
【０１４７】
図３及び図２０を参照すると、薄板１４４は、前面３６８の中に中央開口部３７２を含む。中央開口部３７２は、遮蔽材３７４を収容するようにサイズが決められ成形されている。例示される実施形態において図２０を参照すると、遮蔽材３７４は、概ね矩形であり、カメラ３２６を収容するための上方開口部３７６と、フロントボタン１３２がそこから突出する下方開口部３７８と、マイクロフォン３１８の前方に位置決めされた中央開口部３８０とを含む。遮蔽材３７４は、前面プレート１３４の前面３８２に平行な、かつその前方にある面を画定する。図３に示されるように薄板１４４が前面プレート１３４と嵌め合わされたとき、遮蔽材３７４は、薄板１４４の中央開口部３７２の中にあるため、遮蔽材３７４の前面３８４は、薄板１４４の前面３６８とほぼ同一平面にあり、遮蔽材３７４の外側縁部と、薄板１４４内の中央開口部３７２の内側縁部との間にはほとんど隙間がない、または全く隙間がない。
【０１４８】
図５を参照すると、Ａ／Ｖ記録通信装置１３０は、筐体１３６の後部壁１８４内の開口部３８８を通して露出された２ピンコネクタ３８６を含む。２ピンコネクタ３８６は、Ａ／Ｖ記録通信装置１３０の端子３００，３０２（図１４）に接続される。２ピンコネクタ３８６は、端子３００、３０２を介して、Ａ／Ｖ記録通信装置１３０を、Ａ／Ｖ記録通信装置１３０が設置される建造物の家庭用ＡＣ電源３０４に接続するための電気ワイヤ（図示せず）の端部における嵌め合わせコネクタを収容するように構成される。例示される実施形態では、２ピンコネクタ３８６は、筐体１３６の後部壁１８４内の開口部３８６の中に配置されるため、２ピンコネクタ３８６が筐体１３６の外側の覆いから突出することはない。
【０１４９】
図１５〜図１９は、Ａ／Ｖ記録通信装置１３０の種々の内部構成要素を示す。図１５及び図１６は、前面プレート１３４が取り外されたＡ／Ｖ記録通信装置１３０の前方斜視図であり、図１７は、前面プレート１３４と、筐体１３６が取り外されたＡ／Ｖ記録通信装置１３０の前方斜視図であり、図１８及び図１９は、筐体１３６が取り外されたＡ／Ｖ記録通信装置１３０の後方斜視図である。図１５を参照すると、Ａ／Ｖ記録通信装置１３０は、プリント回路基板（ＰＣＢ）３９０に作動可能に接続された複数の構成要素を備えており、これにはカメラ３２６、光センサ３９２、マイクロフォン３１８、フロントボタン１３２、ＩＲ光源３２８及びスピーカー室３９４（この中にスピーカー３２２が配置される）が含まれる。
【０１５０】
カメラ３２６は、前方ＰＣＢ３９０の前面に結合され、レンズ３９６と、撮像プロセッサ３９８（図１４）とを含んでいる。カメラレンズ３９６は、カメラ３２６の中に光を集束させることが可能なレンズであり得るため、鮮やかな画像を取り込むことができる。カメラ３２６は、例えば１０８０ｐまたはそれよりも良好な画像表示解像度においてビデオ画像を取り込むことが可能なものなど、高精細（ＨＤ）ビデオカメラを備えてよい。特定の本実施形態では、カメラ３２６は、以下で説明するようにその視野の範囲内の動きを検出するのに使用されてよい。光センサ３９２が、プロセッサ３３２（図１４）に作動可能に接続されており、周辺の光のレベルを検出することができ、以下で考察されるように、周辺の光の検出されたレベルを使用していつカメラ３２６の暗視機能を作動させるかを決めることができる。
【０１５１】
図１５をさらに参照すると、マイクロフォン３１８もまた、前方ＰＣＢ３９０の前面に結合されてよく、Ａ／Ｖ記録通信装置１３０の前方でカメラ３２６と、フロントボタン１３２との間に位置決めされることで、Ａ／Ｖ記録通信装置１３０の周辺領域から生じる音をマイクロフォン３１８によって検出し、これによりＡ／Ｖ記録通信装置１３０の近くにいる訪問者（または任意の他の人）と、クライアントデバイス１１４（図１）のユーザとの間の双方向の音声通信を容易にすることができる。スピーカー室３９４も同様に、筐体１３６の底部付近で、Ａ／Ｖ記録通信装置１３０の前方に配置される。スピーカー室３９４は、スピーカー３２２（図１４）が配置される中空の密閉箱を備える。中空のスピーカー室３９４は、スピーカー３２２によって作成された音を増幅するため、その音をＡ／Ｖ記録通信装置１３０の近くの訪問者（または任意の他の人）が聞きやすくなり、これによりＡ／Ｖ記録通信装置１３０と、クライアントデバイス１１４（図１）のユーザとの間の双方向の音声通信を容易にすることができる。
【０１５２】
図１５をさらに参照すると、ＩＲ光源３２８は、一対のＩＲ  ＬＥＤプリント回路基板（ＰＣＢ）４０２に結合された一対のＩＲ発光ダイオード（ＬＥＤ）４００を備える。代替の実施形態において、ＩＲ  ＬＥＤ４００は、別個のＰＣＢ４０２を含まない場合があり、例えば前方ＰＣＢ３９０に結合される場合もある。ＩＲ  ＬＥＤ  ＰＣＢ４０２は、フロントボタン１３２の両側に配置される。図２０を参照すると、前面プレート１３４は、ＩＲ  ＬＥＤ４００を収容するための一対の開口部４０４を含み、遮蔽材３７４が開口部４０４の上に重なっている。一部の実施形態では、遮蔽材３７４は、赤外線（ＩＲ）光に対して実質的に透過性であるが、可視スペクトラム内の光に関してはある程度またはほとんど光を通さない材料を含んでよい。例えば特定の実施形態において、遮蔽材３７４は、ポリカーボネートなどのプラスチックを有してよい。遮蔽材３７４は、したがって、遮蔽材３７４の背後に配置されたＩＲ  ＬＥＤ４００からのＩＲ光の伝送を妨げることはない。ＩＲ  ＬＥＤ４００及びＩＲカットフィルタ３３０は共にプロセッサ３３２に作動可能に接続されており、カメラ３２６の「暗視」機能を促進する。例えばＩＲ  ＬＥＤ４００は、低レベルの周辺の光が検出される際、作動するようにトリガされてよい。作動されると、ＩＲ  ＬＥＤ４００から発せられたＩＲ光は、カメラ３２６の視野を照らす。カメラ３２６は、ＩＲ光を検出するように構成されてよく、次いでそれがカメラ３２６の視野の中の対象物から反射される際、ＩＲ  ＬＥＤ４００によって発せられたＩＲ光を捕らえることができるため、Ａ／Ｖ記録通信装置１３０は、夜間でもはっきりと画像を取り込むことができる（「暗視」と呼ばれる場合もある）。
【０１５３】
図２０をさらに参照すると、遮蔽材３７４は、下にあるカバー４０６と当接してよく、このカバーは、前面プレート１３４と一体式であってよい、または別個の部品である場合もある。カバー４０６は、不透明であってよく、カメラ３２６の場所、及び遮蔽材３７４内の上方開口部３７６の場所に相当する第１の開口部４０８と、フロントボタン１３２の場所及び遮蔽材３７４内の下方開口部３７８の場所に相当する第２の開口部４１０と、マイクロフォン３１８の場所及び遮蔽材３７４内の中央開口部３８０の場所に相当する第３の開口部４１２と、光センサ３９２の場所に相当する第４の開口部４１４とを含んでよい。第３の開口部４１２は、カバー４０６を通り抜けて音が通過し易くすることで、マイクロフォン３１８は、より一層Ａ／Ｖ記録通信装置１３０の周辺領域からの音を拾い上げることが可能である。第４の開口部４１４は、カバー４０６を通り抜けて光が通過し易くすることで、光センサ３９２は、Ａ／Ｖ記録通信装置１３０の周りの周辺の光のレベルを検出することができる。
【０１５４】
図１５を参照すると、Ａ／Ｖ記録通信装置１３０は、ＩＲカットフィルタ３３０をさらに備える。ＩＲカットフィルタ３３０は、カメラ３２６のレンズ３９６と画像センサ（図示せず）との間に選択的に位置決めすることができる機械的シャッターである。日中の時間において、または十分な量の周辺の光があるときはいつでも、ＩＲカットフィルタ３３０は、ＩＲ光を除去するためにレンズ３９６と画像センサとの間に位置決めされるため、人の目が画像を見るときＩＲ光が画像の色を歪めることはない。夜間の時間において、または周辺の光がほとんど存在しない、または全く存在しない場合はいつでも、ＩＲカットフィルタ３３０は、レンズ３９６と画像センサとの間の空間から取り外されることで、カメラ３２６は、ＩＲ光に対して感度がよくなる（「暗視」）。光センサ３９２は、周辺の光のレベルを検出し、周辺の光の検出したレベルを使用してＩＲカットフィルタ３３０の現在の状態を制御し、ＩＲ  ＬＥＤ４００をつけたり消したりしてよい。代替の実施形態では、カメラ３２６は、ＩＲカットフィルタ３３０の現在の状態を制御し、ＩＲ  ＬＥＤ４００をつけたり消したりするのに使用する光検出器として作用する場合もある。カメラ３２６を光検出器として使用することは、Ａ／Ｖ記録通信装置１３０が、ＡＣメイン電源またはパワーオーバーイーサネット（登録商標）（ＰｏＥ）によって電力が供給され、それ故カメラ３２６は、常に電源が入れられた状態であり得るという事実によって一部の実施形態では促進される。カメラ３２６が光検出器として作用する実施形態では、光センサ３９２は省略されてよい、またはカメラ３２６及び光センサ３９２は、周辺の光のレベルを検出するために縦一列で機能する場合もある。
【０１５５】
図１５及び図１６を参照すると、フロントボタン１３２は中空であり、少なくとも１つのモーションセンサ３５２を収容する密閉箱４１６（図１６）を形成する。示される実施形態では、モーションセンサ３５２は、受動型赤外線（ＰＩＲ）センサを備えるが、代替の実施形態では、モーションセンサ３５２は、任意の他のセンサを備える場合もある。モーションセンサ３５２は、その視野の中で人、動物または他の対象物の動きを検出するように構成されてよい。動きが検出されると、Ａ／Ｖ記録通信装置１３０の１つまたは複数の構成要素及び／または機能が作動されてよい。例えば、図２に関して上記で説明したように、カメラ３２６は、記録を開始してよい（または記録を続けてよい）、及び／または警報がユーザのクライアントデバイス１１４に送信されてよい。モーションセンサ３５２は、フロントボタン１３２の後ろ及び／またはその中に配置されるため、フロントボタン１３２の前方部分４１８（図１５）は好ましくは、赤外線光の伝送を実質的に妨げない材料を有する。例えば一部の実施形態において、フロントボタン１３２は、ポリカーボネートなどのプラスチックを含んでよい。また一部の実施形態では、フロントボタン１３２の前方部分４１８は、フレネルレンズを有する場合もあり、これは入射する光を、フロントボタン１３２の後ろ及び／またはその中に配置されたＰＩＲ（複数可）３５２内に誘導するようにパターン形成されてよい。
【０１５６】
図１７を参照すると、前方ＰＣＢ３９０は、フロントボタン１３２の後ろに配置されたボタンアクチュエータ（図示せず）をさらに備えてよい。フロントボタン１３２は、フロントボタン１３２の後ろに延びてボタンアクチュエータに接触する軸（図示せず）を含んでよい。フロントボタン１３２が押される際、軸は、ボタンアクチュエータを押し下げ、これにより上記で説明したように、電子スイッチ３３８を閉じ、信号装置３４０（図１４）に音を出させる。
【０１５７】
図１７を参照すると、前方ＰＣＢ３９０は、光インジケータ（図１７には図示されないが、図１４に構成要素３３４として示される）をさらに備える場合があり、これはＡ／Ｖ記録通信装置１３０のフロントボタン１３２が押される際に点灯してよい。いくつかの実施形態において、光インジケータ３３４は、前方ＰＣＢ３９０の前面に表面実装され、ボタンアクチュエータの周りに円形で配列された発光ダイオード（ＬＥＤ）を備えてよい。しかしながら本実施形態は、ＬＥＤである光インジケータ３３４に限定されるものではなく、代替の実施形態では光インジケータ３３４は、任意の他のタイプの発光装置を備える場合もある。
【０１５８】
図１７をさらに参照すると、Ａ／Ｖ記録通信装置１３０は、ライトパイプ４２０をさらに備えてよい。ライトパイプ４２０は、フロントボタン１３２を取り囲む透明または半透明のリングである。図３及び図２０を参照すると、ライトパイプ４２０は、フロントボタン１３２と、遮蔽材３７４内の下方開口部３７８と、カバー４０６内の第２の開口部４１０との間の環状空間の中にあり、ライトパイプ４２０の前面４２２は、遮蔽材３７４の前面３８４とほぼ同一平面にある。光インジケータ３３４が点灯される際、光がライトパイプ４２０の本体を通って伝送されることで、光をライトパイプ４２０の前面４２２において見ることができるように、ライトパイプ４２０の後部（図示せず）は、光インジケータ３３４のすぐ前方に位置決めされてよい。光インジケータ３３４と、ライトパイプ４２０はこうしてフロントボタン１３２の周りに照明のリングを形成する。ライトパイプ４２０は、例えばプラスチック、または光を伝送することが可能な任意の他の好適な材料を含んでよい。
【０１５９】
光インジケータ３３４及びライトパイプ４２０は、訪問者及び／またはユーザのための視覚的な指示として機能し得る。例えば光インジケータ３３４は、作動時に点灯する、または継続的に点灯したままであってよい。一態様において、光インジケータ３３４は、フロントボタン１３２が押されたことを示すために色を変化させる場合がある。光インジケータ３３４はまた、電池３１２が再充電を必要としていること、または電池３１２が現在充電されていること、または電池３１２の充電が完了していることを示す場合もある。光インジケータ３３４は、ユーザネットワーク１１０への接続が良好である、制限されている、不良である、または接続されていないことを示す場合がある。光インジケータ３３４は、セットアップまたは設置ステップを通して、場合によってはスピーカー３２２から発せられる音声合図と合わせて、視覚的な合図を利用してユーザを誘導するために利用されてよい。
【０１６０】
図１７をさらに参照すると、Ａ／Ｖ記録通信装置１３０は、前方ＰＣＢ３９０の後ろに位置決めされたメインＰＣＢ４２４と、メインＰＣＢ４２４の後ろに位置決めされたパワーＰＣＢ４２６とをさらに備えてよい。後部斜視図である図１８を参照すると、２ピンコネクタ３８６及びリセットボタン３４２が、パワーＰＣＢ４２６の後部面４２８に設置されてよく、イーサネット（登録商標）ポート３５４及びデータポート３６４は、パワーＰＣＢ４２６の前面に設置されてよい。リセットボタン３４２は、押される際、不揮発性メモリ３４６及び／またはメモリ３４４（図１４）に記憶された任意のデータの消去作業をトリガしてよい、及び／またはプロセッサ３３２のリブートをトリガする場合もある。図５を参照すると、筐体１３６は、ペーパークリップなどの長く薄い工具によってそこを通ってリセットボタン３４２にアクセスすることができる開口部４３０を含んでいる。図１９を参照すると、通信モジュール３１６の一構成要素であり得るＷｉ−Ｆｉチップ４３２が、メインＰＣＢ４２４の後部面４３４に設置されてよい。電力及び／またはデータコネクタ４３６が、メインＰＣＢ４２４とパワーＰＣＢ４２６との間に延在しており、それらに作動可能に接続してよい。
【０１６１】
上記で議論したように、本開示は、Ａ／Ｖ記録通信ドアベルを含む方法及びシステムの多数の例を提供するが、本実施形態は、ドアベル以外のＡ／Ｖ記録通信装置に対しても等しく適用可能である。例えば、本実施形態は、１つまたは複数のＡ／Ｖ記録通信ドアベルの代わりに、あるいは１つまたは複数のＡ／Ｖ記録通信ドアベルに加えて、１つまたは複数のＡ／Ｖ記録通信防犯カメラを含んでよい。Ａ／Ｖ記録通信防犯カメラの例は、ドアベル１３０の構造及び機能性の実質的にすべてを含んでよいが、フロントボタン１３２、ボタンアクチュエータ及び／またはライトパイプ４２０は含まない。
【０１６２】
ＰＣＢ３９０、４２４、４２６の例示される数及び構成は１つの例にすぎず、いかなる場合でも限定されない。代替の実施形態では、ＰＣＢ３９０、４２４、４２６間で分散される構成要素は、２つ以上のＰＣＢから構成要素を取り出し、単一のＰＣＢ上にそれらを位置決めすることによる、または単一のＰＣＢから構成要素を取り出し、２つ以上のＰＣＢにわたってそれらを位置決めすることによるなど任意の好適な様式で配置し直される場合もある。ＰＣＢの名称も同様に、いかなる場合でも限定されない。
【０１６３】
上記で説明したように、本実施形態は、音声／ビデオ（Ａ／Ｖ）記録通信装置の能力を活用し、これにより犯罪を減らし、公共の安全を高めるための斯かる装置の機能性の向上を実現する。本実施形態の一態様は、ジャンクションボックス１４６の中に筐体１３６を適合させる能力を含む。前面プレート１３４の後部面はこれにより、ジャンクションボックス１４６が配置される壁の表面に当接し、Ａ／Ｖ記録通信装置１３０をこの壁の上にほぼ同一平面になるように設置することを可能にすることができる。
【０１６４】
図２１は、本開示の種々の態様に従って本実施形態が実施され得るクライアントデバイス８００の機能ブロック図である。図１を参照して説明したユーザのクライアントデバイス１１４は、クライアントデバイス８００の構成要素及び／または機能性の一部または全てを含んでもよい。クライアントデバイス８００は、例えばスマートフォンを有してよい。
【０１６５】
図２１を参照すると、クライアントデバイス８００は、プロセッサ８０２、メモリ８０４、ユーザインタフェース８０６、通信モジュール８０８及びデータポート８１０を含む。それらの構成要素は、相互接続バス８１２によって一緒に通信可能に結合される。プロセッサ８０２は、ＡＲＭプロセッサ（Ａｄｖａｎｃｅｄ  ＲＩＳＣ  Ｍａｃｈｉｎｅｓ（ＡＲＭ）によって開発された（ＲＩＳＣ（縮小命令セットコンピュータ）アーキテクチャに基づいたプロセッサ）など、スマートフォン及び／またはポータブルコンピューティングデバイスにおいて使用されるいずれのプロセッサを含んでもよい。一部の実施形態では、プロセッサ８０２は、１つまたは複数の従来のマイクロプロセッサなどの１つまたは複数の他のプロセッサ、及び／または計算コプロセッサなどの１つまたは複数の補助的なコプロセッサを含む場合もある。
【０１６６】
メモリ８０４は、ランダムアクセスメモリ（ＲＡＭ）などのオペレーティングメモリ、ならびにリードオンリメモリ（ＲＯＭ）、ハードドライブ、フラッシュメモリまたは任意の他の適切なメモリ／記憶素子などのデータ記憶装置の両方を含んでよい。メモリ８０４は、コンパクトフラッシュ（登録商標）カード、マルチメディアカード（ＭＭＣ）及び／またはセキュアデジタル（ＳＤ）カードなど着脱可能メモリ素子を含んでもよい。一部の実施形態では、メモリ８０４は、磁気メモリ、光学メモリ及び／または半導体メモリの組み合わせを含んでよく、例えば、ＲＡＭ、ＲＯＭ、フラッシュドライブ及び／またはハードディスクもしくはドライブを含む場合がある。プロセッサ８０２及びメモリ８０４は各々、例えば、単一のデバイス内に全体的に位置してもよく、或いはＵＳＢポート、シリアルポートケーブル、同軸ケーブル、イーサネット（登録商標）タイプケーブル、電話線、無線周波数送受信機、もしくは他の同様の無線もしくは有線媒体、または上述の組み合わせなど、通信媒体によって相互に接続されてもよい。例えば、プロセッサ８０２は、データポート８１０を介してメモリ８０４に接続されてもよい。
【０１６７】
ユーザインタフェース８０６は、キーパッド、ディスプレイスクリーン、タッチスクリーン、マイクロフォン、及びスピーカーなど、スマートフォン及び／またはポータブルコンピューティングデバイスに適切ないずれかのユーザインタフェースまたは提示要素を含んでもよい。通信モジュール８０８は、クライアントデバイス８００と他の外部デバイスまたは受信機との間の通信リンクを取り扱い、入来／発信データを適切に経路指定するように構成される。例えば、データポート８１０からのインバウンドデータは、プロセッサ８０２に誘導される前に通信モジュール８０８を通じて経路指定されてよく、プロセッサ８０２からのアウトバウンドデータは、データポート８１０に誘導される前に通信モジュール８０８を通じて経路指定されてよい。通信モジュール８０８は、データを送受信することが可能であり、かつ例えばＧＳＭ（登録商標）、ＵＭＴＳ（３ＧＳＭ）、ＩＳ−９５（ＣＤＭＡ  ｏｎｅ）、ＩＳ−２０００（ＣＤＭＡ２０００）、ＬＴＥ、ＦＤＭＡ、ＴＤＭＡ、Ｗ−ＣＤＭＡ、ＣＤＭＡ、ＯＦＤＭＡ、Ｗｉ−Ｆｉ、ＷｉＭＡＸ、あるいは任意の他のプロトコル及び／または技術など１つまたは複数のプロトコル及び／または技術を使用することが可能な１つまたは複数の送受信機モジュールを含んでよい。
【０１６８】
データポート８１０は、例えばミニＵＳＢポートまたはＩＰＨＯＮＥ（登録商標）／ＩＰＯＤ（登録商標）３０ピンコネクタまたはＬＩＧＨＴＮＩＮＧ（登録商標）コネクタ等のスマートフォン及び／またはポータブルコンピューティングデバイスと物理的にインタフェース接続するのに使用される任意のタイプのコネクタであってよい。他の実施形態では、データポート８１０は、例えば他のプロセッサ、サーバ及び／またはクライアント端末との同時通信のために複数の通信チャネルを含んでもよい。
【０１６９】
メモリ８０４は、コンピュータなどの他のシステムと通信するための命令を記憶してもよい。メモリ８０４は、例えば、本実施形態に従ってプロセッサ８０２に命令するように適合されたプログラム（例えば、コンピュータプログラムコード）を記憶してもよい。命令はまた、オペレーティングシステムなどのプログラム要素を含んでもよい。プログラムにおける一連の命令の実行によって、プロセッサ８０２が本明細書で説明される処理ステップを実行するが、本実施形態の処理の実施のためのソフトウェア／ファームウェア命令の代わりに、またはそれとの組み合わせで配線接続回路が使用されてもよい。したがって本実施形態は、ハードウェア及びソフトウェアのいずれかの特定の組み合わせに限定されない。
【０１７０】
図２２は、本開示の種々の態様に従って本実施形態が実施され得る汎用コンピューティングシステムの機能ブロック図である。コンピュータシステム９００は、パーソナルコンピュータ（デスクトップコンピュータとも称される）９００Ａ、ポータブルコンピュータ（ラップトップコンピュータもしくはノートブックコンピュータとも称される）９００Ｂ及び／またはサーバ９００Ｃのうちの少なくとも１つにおいて具体化されてよい。サーバは、他のマシンまたはソフトウェア（クライアント）からの要求を待ち、それらに応答するコンピュータプログラム及び／またはマシンである。サーバは典型的には、データを処理する。サーバの目的は、クライアント間でデータ及び／またはハードウェア及び／またはソフトウェアリソースを共有することである。このようなアーキテクチャは、クライアント−サーバモデルと呼ばれる。クライアントは、同一のコンピュータ上で稼働してよい、またはネットワークを介してサーバに接続してもよい。コンピューティングサーバの例は、データベースサーバ、ファイルサーバ、メールサーバ、プリントサーバ、ウェブサーバ、ゲームサーバ及びアプリケーションサーバを含む。サーバという用語は、１つまたは複数のクライアント処理に対して１つのリソースを共有する任意のコンピュータ化された処理を含むように広義に解釈されてよい。
【０１７１】
コンピュータシステム９００は、上記に説明した動作のうちの少なくとも一部を実行してよい。コンピュータシステム９００は、少なくとも１つのプロセッサ９１０、メモリ９２０、少なくとも１つの記憶装置９３０、及び入力／出力（Ｉ／Ｏ）デバイス９４０を含んでもよい。構成要素９１０、９２０、９３０、９４０の一部または全ては、システムバス９５０を介して相互接続されてもよい。プロセッサ９１０は、シングルスレッドまたはマルチスレッドであってよく、１つまたは複数のコアを有してよい。プロセッサ９１０は、メモリ９２０及び／または記憶装置９３０に記憶されたものなどの命令を実行してよい。情報は、１つまたは複数のＩ／Ｏデバイス９４０を使用して受信及び出力されてよい。
【０１７２】
メモリ９２０は、情報を記憶してもよく、揮発性または不揮発性メモリなどのコンピュータ可読媒体であってもよい。記憶装置（複数可）９３０は、システム９００についての記憶を提供することができ、コンピュータ可読媒体であってもよい。様々な態様では、記憶装置（複数可）９３０は、フラッシュメモリデバイス、ハードディスクデバイス、光ディスクデバイス、テープデバイス、またはいずれかの他のタイプの記憶装置であってもよい。
【０１７３】
Ｉ／Ｏデバイス９４０は、システム９００についての入力／出力操作を提供することができる。Ｉ／Ｏデバイス９４０は、キーボード、ポインティングデバイス、及び／またはマイクロフォンを含んでもよい。Ｉ／Ｏデバイス９４０は更に、グラフィカルユーザインタフェースを表示するためのディスプレイユニット、スピーカー、及び／またはプリンタを含んでもよい。外部データは、１つまたは複数のアクセス可能な外部データベース９６０に記憶されてよい。
【０１７４】
本明細書に記載される本実施形態の特徴は、デジタル電子回路網で、及び／またはコンピュータハードウェア、ファームウェア、ソフトウェアで及び／またはその組み合わせで実施されてよい。本実施形態の特徴は、プログラマム可能なプロセッサによる実行のために、機械可読記憶装置などの情報担体において、及び／または伝播信号において有形的に具体化されたコンピュータプログラム製品において実現されてよい。本方法ステップの実施形態は、入力データに関して動作し、出力を生成することによって、説明した実装態様の機能を実行するために命令のプログラムを実行するプログラム可能なプロセッサによって実施されてよい。
【０１７５】
本明細書に記載する本実施形態の特徴は、データストレージシステムからのデータ及び／または命令を受信し、データストレージシステムにデータ及び／または命令を送信するように結合された少なくとも１つのプログラム可能なプロセッサ、少なくとも１つの入力装置、及び少なくとも１つの出力装置を含んだプログラム可能なシステム上で実行可能である１つまたは複数のコンピュータプログラムにおいて実現されてよい。コンピュータプログラムは、特定の動作を実行する、または特定の結果を引き起こすためにコンピュータにおいて直接または間接的に使用されてよい命令セットを含んでよい。コンピュータプログラムは、コンパイル言語またはインタプリタ言語を含むいずれかの形式のプログラミング言語で記述されてもよく、それは、スタンドアロンプログラムもしくはモジュール、コンンポーネント、サブルーチン、またはコンピューティング環境における使用に適切な他のユニットとして含む、いずれかの形式において開発されてもよい。
【０１７６】
命令のプログラムの実行に適切なプロセッサは、例えば、汎用プロセッサ及び特殊目的プロセッサの両方、及び／またはいずれかの種類のコンピュータの単一のプロセッサもしくは複数のプロセッサのうちの１つを含んでもよい。概して、プロセッサは、リードオンリメモリ（ＲＯＭ）、ランダムアクセスメモリ（ＲＡＭ）、またはその両方から命令及び／またはデータを受信してもよい。そのようなコンピュータは、命令を実行するためのプロセッサと、命令及び／またはデータとを記憶するための１つまたは複数のメモリを含んでもよい。
【０１７７】
概して、コンピュータはまた、データファイルを記憶するための１つまたは複数の大容量記憶装置を含んでもよく、あるいは１つまたは複数の大容量記憶装置と通信するように動作可能に結合されてもよい。そのようなデバイスは、内部ハードディスク及び／または着脱可能ディスクなどの磁気ディスク、磁気−光ディスク、及び／または光ディスクを含む。コンピュータプログラム命令及び／またはデータを有形的に具体化するために適切な記憶装置は、例えば、ＥＰＲＯＭ、ＥＥＰＲＯＭ、及びフラッシュメモリデバイスなどの半導体メモリデバイス、内部ハードディスク及び着脱可能ディスクなどの磁気ディスク、磁気−光ディスク、並びにＣＤ−ＲＯＭ及びＤＶＤ−ＲＯＭディスクを含む、全ての形式の不揮発性メモリを含んでもよい。プロセッサ及びメモリは、１つまたは複数のＡＳＩＣ（特定用途向け集積回路）によって補完されてよい、または１つまたは複数のＡＳＩＣに組み込まれる場合もある。
【０１７８】
ユーザとの対話を実現するために、本実施形態の特徴は、ユーザに情報を表示するために、例えばＬＣＤ（液晶ディスプレイ）モニタ等の表示装置を有するコンピュータ上で実現されてよい。コンピュータはさらに、キーボード、マウスもしくはトラックボールなどのポインティングデバイス、及び／またはタッチスクリーンを含んでもよく、それによって、ユーザは、コンピュータに入力を提供することができる。
【０１７９】
本実施形態の特徴は、例えばデータサーバなどのバックエンドコンポーネントを含む、及び／または例えばアプリケーションサーバもしくはインターネットサーバなどのミドルウェアコンポーネントを含む、及び／または例えばグラフィカルユーザインタフェース（ＧＵＩ）及び／またはインターネットブラウザを有するクライアントコンピュータなどのフロントエンドコンポーネントを含むコンピュータシステムにおいて、あるいはこれらの任意の組み合わせにおいて実現されてよい。システムのコンポーネントは、通信ネットワークなど、デジタルデータ通信の任意の形式または媒体によって接続されてよい。通信ネットワークの例は、例えばＬＡＮ（ローカルエリアネットワーク）、ＷＡＮ（広域ネットワーク）及び／またはインターネットを形成するコンピュータ及びネットワークを含んでよい。
【０１８０】
コンピュータシステムは、クライアントと、サーバを含む場合もある。クライアント及びサーバは、相互にリモートであってもよく、本明細書で説明されるネットワークなどのネットワークを通じて対話してもよい。クライアントと、サーバとの関係は、それぞれのコンピュータ上で稼働し、相互にクライアント−サーバの関係を有するコンピュータプログラムによって生じてよい。
【０１８１】
上記の説明は、これらの実施形態が属する分野の任意の当業者がそれらを実施することが可能にするために、斯かる完全で明白、簡潔かつ正確な用語で、本実施形態を実施するために意図された、本実施形態を実施する方法及びプロセスの最善の態様を提示する。しかしながら、本実施形態は、完全に均等である上記で議論されたものからの修正形態及び代替の構成の影響を受ける。その結果として、本考案は、開示される特定の実施形態に限定されない。むしろ、本考案は、本開示の趣旨及び範囲内にある全ての修正形態及び代替の構成も網羅する。例えば、本明細書で説明される処理におけるステップは、それらが提示されたのと同一の順序で実行される必要はなく、いずれの順序（複数可）で実行されてもよい。更に、別個に実行されるとして提示されたステップは、代替的な実施形態では、同時に実行されてもよい。同様に、同時に実行されるとして提示されたステップは、代替実施形態で別々に実行されてよい。
【図１】
0003225988.tif 000003
【図２】
0003225988.tif 000004
【図３】
0003225988.tif 000005
【図４】
0003225988.tif 000006
【図５】
0003225988.tif 000007
【図６】
0003225988.tif 000008
【図７】
0003225988.tif 000009
【図８】
0003225988.tif 000010
【図９】
0003225988.tif 000011
【図１０】
0003225988.tif 000012
【図１１】
0003225988.tif 000013
【図１２】
0003225988.tif 000014
【図１３】
0003225988.tif 000015
【図１４】
0003225988.tif 000016
【図１５】
0003225988.tif 000017
【図１６】
0003225988.tif 000018
【図１７】
0003225988.tif 000019
【図１８】
0003225988.tif 000020
【図１９】
0003225988.tif 000021
【図２０】
0003225988.tif 000022
【図２１】
0003225988.tif 000023
【図２２】
0003225988.tif 000024
【手続補正書】
【提出日】令和1年10月31日(2019.10.31)
【手続補正１】
【補正対象書類名】実用新案登録請求の範囲
【補正対象項目名】全文
【補正方法】変更
【補正の内容】
【実用新案登録請求の範囲】
【請求項１】
音声／ビデオ（Ａ／Ｖ）記録通信装置であって、
前方開口部を有する密閉箱を画定し、およそ９４．３７ｍｍの高さ、およそ４７．５９ｍｍの幅及びおよそ４０．２０ｍｍの深さを有する三次元空間に嵌合するように構成された後方部分を有する筐体と、
前記密閉箱の中に少なくとも一部が配置され、前記密閉箱の前記前方開口部の外側に延びる視野を有するカメラと、
前記前方開口部に隣接して前記密閉箱の中に少なくとも一部が配置されたスピーカーと、
前記前方開口部に隣接して前記密閉箱の中に少なくとも一部が配置されたマイクロフォンと、
前記密閉箱の中に少なくとも一部が配置され、前記前方開口部から外向きに突出するフロントボタンと、を備える、前記音声／ビデオ（Ａ／Ｖ）記録通信装置。
【請求項２】
前記筐体は、前記前方開口部の周りに延在する前方リップ部分をさらに備える、請求項１に記載のＡ／Ｖ記録通信装置。
【請求項３】
前記前方リップ部分は、シングルギャングジャンクションボックスとの締り嵌めを形成する周辺寸法を有する、請求項２に記載のＡ／Ｖ記録通信装置。
【請求項４】
前記前方リップ部分は、およそ９６．６２ｍｍの高さと、およそ５０．６２ｍｍの幅とを有する、請求項２に記載のＡ／Ｖ記録通信装置。
【請求項５】
前記Ａ／Ｖ記録通信装置は、ドアベルを備える、請求項１に記載のＡ／Ｖ記録通信装置。
【請求項６】
前記密閉箱の前記前方開口部の前方に位置決めされた遮蔽材をさらに備える、請求項１に記載のＡ／Ｖ記録通信装置。
【請求項７】
前記遮蔽材は、前記カメラに隣接して上方開口部を含む、請求項６に記載のＡ／Ｖ記録通信装置。
【請求項８】
前記遮蔽材は、前記フロントボタンを取り囲む下方開口部を含んでおり、前記下方開口部は、前記上方開口部の下に位置している、請求項７に記載のＡ／Ｖ記録通信装置。
【請求項９】
前記遮蔽材は、前記上方開口部と前記下方開口部との間に位置する中央開口部を含む、請求項８に記載のＡ／Ｖ記録通信装置。
【請求項１０】
前記密閉箱の前記前方開口部の上に少なくとも一部が重なる前面プレートをさらに備える、請求項６に記載のＡ／Ｖ記録通信装置。
【請求項１１】
前記前面プレートは、前記筐体の前記高さより高い高さと、前記筐体の前記幅より大きな幅とを有する、請求項１０に記載のＡ／Ｖ記録通信装置。
【請求項１２】
前記前面プレートの上に重なる薄板をさらに備える、請求項１０に記載のＡ／Ｖ記録通信装置。
【請求項１３】
前記薄板は中央開口部を含む、請求項１２に記載のＡ／Ｖ記録通信装置。
【請求項１４】
前記薄板内の前記中央開口部は、前記遮蔽材を収容するようにサイズが決められ、成形されている、請求項１３に記載のＡ／Ｖ記録通信装置。
【請求項１５】
前記遮蔽材の前面が前記薄板の前面とほぼ同一平面になり、かつ前記遮蔽材の外側縁部と前記薄板内の前記中央開口部の内側縁部との間にほとんど隙間がない、またはまったく隙間がないように、前記遮蔽材は、前記薄板内の前記中央開口部の中にある、請求項１４に記載のＡ／Ｖ記録通信装置。
【請求項１６】
前記前方開口部に隣接して前記密閉箱の中に少なくとも一部が配置された赤外線（ＩＲ）光源をさらに備える、請求項１に記載のＡ／Ｖ記録通信装置。
【請求項１７】
前記ＩＲ光源は、少なくとも１つのＩＲ  ＬＥＤ（発光ダイオード）を備える、請求項１６に記載のＡ／Ｖ記録通信装置。
【請求項１８】
前記ＩＲ光源は、前記フロントボタンの両側に配置された第１のＩＲ  ＬＥＤと、第２のＩＲ  ＬＥＤとを備える、請求項１７に記載のＡ／Ｖ記録通信装置。
【請求項１９】
モーションセンサをさらに備える、請求項１に記載のＡ／Ｖ記録通信装置。
【請求項２０】
前記モーションセンサは、前記フロントボタンの後ろに配置される、請求項１９に記載のＡ／Ｖ記録通信装置。
【請求項２１】
前記フロントボタンは、入射する光を、前記フロントボタンの後ろに配置された前記モーションセンサ内に誘導するようにパターン形成されたフレネルレンズを備える、請求項１９に記載のＡ／Ｖ記録通信装置。
【請求項２２】
通信モジュールをさらに備える、請求項１に記載のＡ／Ｖ記録通信装置。
【請求項２３】
前記カメラは、前記フロントボタンより上に配置される、請求項１に記載のＡ／Ｖ記録通信装置。
【請求項２４】
前記スピーカーは、前記フロントボタンより下に配置される、請求項２３に記載のＡ／Ｖ記録通信装置。
【請求項２５】
前記筐体は、ジャンクションボックスの前方開口部を介して前記Ａ／Ｖ記録通信装置を前記ジャンクションボックスに挿入し易くするために、前記ジャンクションボックス上のタブを収容するように構成された上方チャネルと下方チャネルとをさらに備える、請求項１に記載のＡ／Ｖ記録通信装置。
【請求項２６】
音声／ビデオ（Ａ／Ｖ）記録通信装置であって、
前方開口部を有する密閉箱を画定し、およそ７６ｍｍの高さ、およそ４９ｍｍの幅及びおよそ４０ｍｍの深さを有する三次元空間に嵌合するように構成された後方部分を有する筐体と、
前記密閉箱の中に少なくとも一部が配置され、前記密閉箱の前記前方開口部の外側に延びる視野を有するカメラと、
前記前方開口部に隣接して前記密閉箱の中に少なくとも一部が配置されたスピーカーと、
前記前方開口部に隣接して前記密閉箱の中に少なくとも一部が配置されたマイクロフォンと、
前記密閉箱の中に少なくとも一部が配置され、前記前方開口部から外向きに突出するフロントボタンと、を備える、前記音声／ビデオ（Ａ／Ｖ）記録通信装置。
【請求項２７】
前記筐体は、前記前方開口部の周りに延在する前方リップ部分をさらに備える、請求項２６に記載のＡ／Ｖ記録通信装置。
【請求項２８】
前記Ａ／Ｖ記録通信装置は、ドアベルを備える、請求項２６に記載のＡ／Ｖ記録通信装置。
【請求項２９】
前記密閉箱の前記前方開口部の前方に位置決めされた遮蔽材をさらに備える、請求項２６に記載のＡ／Ｖ記録通信装置。
【請求項３０】
前記遮蔽材は、前記カメラに隣接して上方開口部を含む、請求項２９に記載のＡ／Ｖ記録通信装置。
【請求項３１】
前記遮蔽材は、前記フロントボタンを取り囲む下方開口部を含んでおり、前記下方開口部は、前記上方開口部の下に位置している、請求項３０に記載のＡ／Ｖ記録通信装置。
【請求項３２】
前記遮蔽材は、前記上方開口部と前記下方開口部との間に位置する中央開口部を含む、請求項３１に記載のＡ／Ｖ記録通信装置。
【請求項３３】
前記密閉箱の前記前方開口部の上に少なくとも一部が重なる前面プレートをさらに備える、請求項２６に記載のＡ／Ｖ記録通信装置。
【請求項３４】
前記前面プレートは、前記筐体の前記高さより高い高さと、前記筐体の前記幅より大きな幅とを有する、請求項３３に記載のＡ／Ｖ記録通信装置。
【請求項３５】
前記前面プレートの上に重なる薄板をさらに備える、請求項３３に記載のＡ／Ｖ記録通信装置。
【請求項３６】
前記薄板は中央開口部を含む、請求項３５に記載のＡ／Ｖ記録通信装置。
【請求項３７】
前記薄板内の前記中央開口部は、遮蔽材を収容するようにサイズが決められ、成形されている、請求項３６に記載のＡ／Ｖ記録通信装置。
【請求項３８】
前記遮蔽材の前面が前記薄板の前面とほぼ同一平面になり、かつ前記遮蔽材の外側縁部と、前記薄板内の前記中央開口部の内側縁部との間にほとんど隙間がない、またはまったく隙間がないように、前記遮蔽材は、前記薄板内の前記中央開口部の中にある、請求項３７に記載のＡ／Ｖ記録通信装置。
【請求項３９】
前記前方開口部に隣接して前記密閉箱の中に少なくとも一部が配置された赤外線（ＩＲ）光源をさらに備える、請求項２６に記載のＡ／Ｖ記録通信装置。
【請求項４０】
前記ＩＲ光源は、少なくとも１つのＩＲ  ＬＥＤ（発光ダイオード）を備える、請求項３９に記載のＡ／Ｖ記録通信装置。
【請求項４１】
前記ＩＲ光源は、前記フロントボタンの両側に配置された第１のＩＲ  ＬＥＤと第２のＩＲ  ＬＥＤとを備える、請求項４０に記載のＡ／Ｖ記録通信装置。
【請求項４２】
モーションセンサをさらに備える、請求項２６に記載のＡ／Ｖ記録通信装置。
【請求項４３】
前記モーションセンサは、前記フロントボタンの後ろに配置される、請求項４２に記載のＡ／Ｖ記録通信装置。
【請求項４４】
前記フロントボタンは、入射する光を、前記フロントボタンの後ろに配置された前記モーションセンサ内に誘導するようにパターン形成されたフレネルレンズを備える、請求項４３に記載のＡ／Ｖ記録通信装置。
【請求項４５】
通信モジュールをさらに備える、請求項２６に記載のＡ／Ｖ記録通信装置。
【請求項４６】
前記カメラは、前記フロントボタンより上に配置される、請求項２６に記載のＡ／Ｖ記録通信装置。
【請求項４７】
前記スピーカーは、前記フロントボタンより下に配置される、請求項４６に記載のＡ／Ｖ記録通信装置。
【請求項４８】
前記筐体は、ジャンクションボックスの前方開口部を介して前記Ａ／Ｖ記録通信装置を前記ジャンクションボックスに挿入し易くするために、前記ジャンクションボックス上のタブを収容するように構成された上方チャネルと下方チャネルとをさらに備える、請求項２６に記載のＡ／Ｖ記録通信装置。
【請求項４９】
音声／ビデオ（Ａ／Ｖ）記録通信装置であって、
前方開口部を有する密閉箱を画定し、およそ９３．４９ｍｍの高さ、およそ４７．４９ｍｍの幅及びおよそ３６．２０ｍｍの深さを有する後方部分を有する筐体と、
前記密閉箱の中に少なくとも一部が配置され、前記密閉箱の前記前方開口部の外側に延びる視野を有するカメラと、
前記前方開口部に隣接して前記密閉箱の中に少なくとも一部が配置されたスピーカーと、
前記前方開口部に隣接して前記密閉箱の中に少なくとも一部が配置されたマイクロフォンと、
前記密閉箱の中に少なくとも一部が配置され、前記前方開口部から外向きに突出するフロントボタンと、を備える、前記音声／ビデオ（Ａ／Ｖ）記録通信装置。
【請求項５０】
前記筐体は、前記前方開口部の周りに延在する前方リップ部分をさらに備える、請求項４９に記載のＡ／Ｖ記録通信装置。
【請求項５１】
前記前方リップ部分は、シングルギャングジャンクションボックスとの締り嵌めを形成する周辺寸法を有する、請求項５０に記載のＡ／Ｖ記録通信装置。
【請求項５２】
前記前方リップ部分は、およそ９６．６２ｍｍの高さと、およそ５０．６２ｍｍの幅とを有する、請求項５０に記載のＡ／Ｖ記録通信装置。
【請求項５３】
前記Ａ／Ｖ記録通信装置は、ドアベルを備える、請求項４９に記載のＡ／Ｖ記録通信装置。
【請求項５４】
前記密閉箱の前記前方開口部の前方に位置決めされた遮蔽材をさらに備える、請求項４９に記載のＡ／Ｖ記録通信装置。
【請求項５５】
前記遮蔽材は、前記カメラに隣接した上方開口部を含む、請求項５４に記載のＡ／Ｖ記録通信装置。
【請求項５６】
前記遮蔽材は、前記フロントボタンを取り囲む下方開口部を含んでおり、前記下方開口部は、前記上方開口部の下に位置している、請求項５５に記載のＡ／Ｖ記録通信装置。
【請求項５７】
前記遮蔽材は、前記上方開口部と前記下方開口部との間に位置する中央開口部を含む、請求項５６に記載のＡ／Ｖ記録通信装置。
【請求項５８】
前記密閉箱の前記前方開口部の上に少なくとも一部が重なる前面プレートをさらに備える、請求項４９に記載のＡ／Ｖ記録通信装置。
【請求項５９】
前記前面プレートは、前記筐体の前記高さより高い高さと、前記筐体の前記幅より大きな幅とを有する、請求項５８に記載のＡ／Ｖ記録通信装置。
【請求項６０】
前記前面プレートの上に重なる薄板をさらに備える、請求項５８に記載のＡ／Ｖ記録通信装置。
【請求項６１】
前記薄板は中央開口部を含む、請求項６０に記載のＡ／Ｖ記録通信装置。
【請求項６２】
前記薄板内の前記中央開口部は、遮蔽材を収容するようにサイズが決められ、成形されている、請求項６１に記載のＡ／Ｖ記録通信装置。
【請求項６３】
前記遮蔽材の前面が前記薄板の前面とほぼ同一平面になり、かつ前記遮蔽材の外側縁部と前記薄板内の前記中央開口部の内側縁部との間にほとんど隙間がない、またはまったく隙間がないように、前記遮蔽材は、前記薄板内の前記中央開口部の中にある、請求項６２に記載のＡ／Ｖ記録通信装置。
【請求項６４】
前記前方開口部に隣接して前記密閉箱の中に少なくとも一部が配置された赤外線（ＩＲ）光源をさらに備える、請求項４９に記載のＡ／Ｖ記録通信装置。
【請求項６５】
前記ＩＲ光源は、少なくとも１つのＩＲ  ＬＥＤ（発光ダイオード）を備える、請求項６４に記載のＡ／Ｖ記録通信装置。
【請求項６６】
前記ＩＲ光源は、前記フロントボタンの両側に配置された第１のＩＲ  ＬＥＤと第２のＩＲ  ＬＥＤとを備える、請求項６５に記載のＡ／Ｖ記録通信装置。
【請求項６７】
モーションセンサをさらに備える、請求項４９に記載のＡ／Ｖ記録通信装置。
【請求項６８】
前記モーションセンサは、前記フロントボタンの後ろに配置される、請求項６７に記載のＡ／Ｖ記録通信装置。
【請求項６９】
前記フロントボタンは、入射する光を、前記フロントボタンの後ろに配置された前記モーションセンサ内に誘導するようにパターン形成されたフレネルレンズを備える、請求項６８に記載のＡ／Ｖ記録通信装置。
【請求項７０】
通信モジュールをさらに備える、請求項４９に記載のＡ／Ｖ記録通信装置。
【請求項７１】
前記カメラは、前記フロントボタンより上に配置される、請求項４９に記載のＡ／Ｖ記録通信装置。
【請求項７２】
前記スピーカーは、前記フロントボタンより下に配置される、請求項７１に記載のＡ／Ｖ記録通信装置。
【請求項７３】
前記筐体は、ジャンクションボックスの前方開口部を介して前記Ａ／Ｖ記録通信装置を前記ジャンクションボックスに挿入し易くするために、前記ジャンクションボックス上のタブを収容するように構成された上方チャネルと下方チャネルとをさらに備える、請求項４９に記載のＡ／Ｖ記録通信装置。
【請求項７４】
音声／ビデオ（Ａ／Ｖ）記録通信装置であって、
前方開口部を有する密閉箱を画定し、シングルギャングジャンクションボックスに嵌合するように構成された後方部分を有する筐体と、
前記密閉箱の中に少なくとも一部が配置され、前記密閉箱の前記前方開口部の外側に延びる視野を有するカメラと、
前記前方開口部に隣接して前記密閉箱の中に少なくとも一部が配置されたスピーカーと、
前記前方開口部に隣接して前記密閉箱の中に少なくとも一部が配置されたマイクロフォンと、
前記密閉箱の中に少なくとも一部が配置され、前記前方開口部から外向きに突出するフロントボタンと、を備える、前記音声／ビデオ（Ａ／Ｖ）記録通信装置。
【請求項７５】
前記筐体は、前記前方開口部の周りに延在する前方リップ部分をさらに備える、請求項７４に記載のＡ／Ｖ記録通信装置。
【請求項７６】
前記前方リップ部分は、前記ジャンクションボックスとの締り嵌めを形成する周辺寸法を有する、請求項７５に記載のＡ／Ｖ記録通信装置。
【請求項７７】
前記前方リップ部分は、およそ９６．６２ｍｍの高さと、およそ５０．６２ｍｍの幅とを有する、請求項７５に記載のＡ／Ｖ記録通信装置。
【請求項７８】
前記Ａ／Ｖ記録通信装置は、ドアベルを備える、請求項７４に記載のＡ／Ｖ記録通信装置。
【請求項７９】
前記密閉箱の前記前方開口部の前方に位置決めされた遮蔽材をさらに備える、請求項７４に記載のＡ／Ｖ記録通信装置。
【請求項８０】
前記遮蔽材は、前記カメラに隣接して上方開口部を含む、請求項７９に記載のＡ／Ｖ記録通信装置。
【請求項８１】
前記遮蔽材は、前記フロントボタンを取り囲む下方開口部を含んでおり、前記下方開口部は、前記上方開口部の下に位置している、請求項８０に記載のＡ／Ｖ記録通信装置。
【請求項８２】
前記遮蔽材は、前記上方開口部と前記下方開口部との間に位置する中央開口部を含む、請求項８１に記載のＡ／Ｖ記録通信装置。
【請求項８３】
前記密閉箱の前記前方開口部の上に少なくとも一部が重なる前面プレートをさらに備える、請求項７４に記載のＡ／Ｖ記録通信装置。
【請求項８４】
前記前面プレートは、前記筐体の前記高さより高い高さと、前記筐体の前記幅より大きな幅とを有する、請求項８３に記載のＡ／Ｖ記録通信装置。
【請求項８５】
前記前面プレートの上に重なる薄板をさらに備える、請求項８３に記載のＡ／Ｖ記録通信装置。
【請求項８６】
前記薄板は中央開口部を含む、請求項８５に記載のＡ／Ｖ記録通信装置。
【請求項８７】
前記薄板内の前記中央開口部は、遮蔽材を収容するようにサイズが決められ、成形されている、請求項８６に記載のＡ／Ｖ記録通信装置。
【請求項８８】
前記遮蔽材の前面が前記薄板の前面とほぼ同一平面になり、かつ前記遮蔽材の外側縁部と前記薄板内の前記中央開口部の内側縁部との間にほとんど隙間がない、またはまったく隙間がないように、前記遮蔽材は、前記薄板内の前記中央開口部の中にある、請求項８７に記載のＡ／Ｖ記録通信装置。
【請求項８９】
前記前方開口部に隣接して前記密閉箱の中に少なくとも一部が配置された赤外線（ＩＲ）光源をさらに備える、請求項７４に記載のＡ／Ｖ記録通信装置。
【請求項９０】
前記ＩＲ光源は、少なくとも１つのＩＲ  ＬＥＤ（発光ダイオード）を備える、請求項８９に記載のＡ／Ｖ記録通信装置。
【請求項９１】
前記ＩＲ光源は、前記フロントボタンの両側に配置された第１のＩＲ  ＬＥＤと第２のＩＲ  ＬＥＤとを備える、請求項９０に記載のＡ／Ｖ記録通信装置。
【請求項９２】
モーションセンサをさらに備える、請求項７４に記載のＡ／Ｖ記録通信装置。
【請求項９３】
前記モーションセンサは、前記フロントボタンの後ろに配置される、請求項９２に記載のＡ／Ｖ記録通信装置。
【請求項９４】
前記フロントボタンは、入射する光を、前記フロントボタンの後ろに配置された前記モーションセンサ内に誘導するようにパターン形成されたフレネルレンズを備える、請求項９３に記載のＡ／Ｖ記録通信装置。
【請求項９５】
通信モジュールをさらに備える、請求項７４に記載のＡ／Ｖ記録通信装置。
【請求項９６】
前記カメラは、前記フロントボタンより上に配置される、請求項７４に記載のＡ／Ｖ記録通信装置。
【請求項９７】
前記スピーカーは、前記フロントボタンより下に配置される、請求項９６に記載のＡ／Ｖ記録通信装置。
【請求項９８】
前記筐体は、ジャンクションボックスの前方開口部を介して前記Ａ／Ｖ記録通信装置を前記ジャンクションボックスに挿入し易くするために、前記ジャンクションボックス上のタブを収容するように構成された上方チャネルと下方チャネルとをさらに備える、請求項７４に記載のＡ／Ｖ記録通信装置。
【請求項９９】
前記ジャンクションボックスは、およそ９４．３７ｍｍの高さ、およそ４７．５９ｍｍの幅及びおよそ４０．２０ｍｍの深さを有する三次元の内部空間を有する、請求項７４に記載のＡ／Ｖ記録通信装置。
【請求項１００】
前記ジャンクションボックスは、およそ７６ｍｍの高さ、およそ４９ｍｍの幅及びおよそ４０ｍｍの深さを有する三次元の内部空間を有する、請求項７４に記載のＡ／Ｖ記録通信装置。
【請求項１０１】
前記筐体の前記後方部分は、およそ９３．４９ｍｍの高さ、およそ４７．４９ｍｍの幅及びおよそ３６．２０ｍｍの深さを有する、請求項７４に記載のＡ／Ｖ記録通信装置。